(57)【要約】手首又は腕に着用する柔軟に対応できるカメラ装着具（１ａ）であり、身体活動に参加しながらカメラを利便に携行し、手に取って確実に使用できる。カメラ装着具（１ａ）を操作者の手首又は腕へ装着する調節式ストラップシステムと、装着具（１ａ）および操作者へ装着したままカメラを枢動できる様式又は固定の非枢動位置にカメラを固定する様式で種々の形状及び大きさのカメラを装着具へ一度に一台を装着するための結合システムとで構成される。留め金システムが装着具（１ａ）へ組込まれて、操作者の手首又は腕の第１の平坦な固定携行位置にカメラを固定する。写真を撮る目的で第２固定位置へカメラを枢動して直立にするには、留め金システムを操作者が解放すればよい。カメラの枢動方位又は留め金システムの閉鎖状態又はユーザへのカメラ装着様式にかかわらず、装着具（１ａ）は、どんな場合でも操作者へのカメラ装着を維持する。
2006522957.tif 000002
【特許請求の範囲】
【請求項１】
カメラまたはカメラハウジングを固定するための装置であって、
前記カメラまたはカメラハウジングの第１個所を、第１固定位置に枢動可能に固定する構造のストラップと、
前記ストラップに結合された解放可能なキャッチ機構であって、前記カメラまたはカメラハウジングの第２個所を解放可能に結合する構造の解放可能なキャッチ機構と
を備え、前記解放可能なキャッチ機構との結合が解かれた時に前記カメラまたはカメラハウジングは前記第１固定位置にあり、前記解放可能なキャッチ機構と結合された時に第２固定位置にある、カメラまたはカメラハウジングを固定するための装置。
【請求項２】
前記ストラップは物体を固定するように構成されている、請求項１の装置。
【請求項３】
前記物体はユーザの外肢を含む、請求項２の装置。
【請求項４】
前記ストラップはベルクロ構造の第１部分と、ベルクロ構造の第２部分とを備え、ベルクロ構造の前記第１部分はベルクロ構造の前記第２部分と解放可能に結合する、請求項１の装置。
【請求項５】
前記ストラップは固定機構の第１部分を備え、前記固定機構の第１部分は、前記固定機構の第２部分の相反相手であり、前記固定機構の前記第２部分は前記カメラまたはカメラハウジングに結合されている、請求項１の装置。
【請求項６】
前記固定機構は、ボタン組立体、ベルクロ組立体、バックル組立体、クリップ組立体、フックおよびループ組立体、フックおよびキャッチ組立体、磁石組立体、ボールおよびキャッチ組立体、ならびに接着材組立体から成るグループからの１つを含む、請求項５の装置。
【請求項７】
前記解放可能なキャッチ機構は、前記カメラまたはカメラハウジング上の固定機構の第２部分と結合する構造を有する固定機構の第１部分を含み、前記固定機構の前記第２部分は前記固定機構の前記第１部分の相反相手である、請求項１の装置。
【請求項８】
前記固定機構は、ボタン組立体、ベルクロ組立体、バックル組立体、クリップ組立体、フックおよびループ組立体、フックおよびキャッチ組立体、磁石組立体、ボールおよびキャッチ組立体、ならびに接着材組立体から成るグループからの１つを含む、請求項７の装置。
【請求項９】
更に、前記ストラップと前記解放可能なキャッチ機構とに結合されるループを備える、請求項１の装置。
【請求項１０】
前記ストラップは閉じたループを備える、請求項１の装置。
【請求項１１】
前記カメラまたはカメラハウジングおよび前記ストラップは単一体構造を備える、請求項１の装置。
【請求項１２】
前記ストラップは、衣服の部位へ一体化されている、請求項１の装置。
【請求項１３】
カメラを固定するための装置であって、
前記カメラを受容する構造のハウジングと、
前記ハウジングの第１個所を第１固定位置に枢動可能に固定する構造のストラップと、
前記ストラップと前記ハウジングの一方と結合される解放可能なキャッチ機構であって、前記ストラップと前記ハウジングの第２個所の前記一方を、第２固定位置に解放可能に結合する構造の解放可能なキャッチ機構と
を備え、前記ハウジングは、前記解放可能なキャッチ機構が前記ストラップと前記ハウジングの前記第２個所の前記一方から結合を解く時に前記第１固定位置にあり、前記解放可能なキャッチ機構が前記ストラップおよび前記ハウジングの前記第２個所の前記一方と結合する時に前記第２固定位置にある、カメラを固定するための装置。
【請求項１４】
前記ハウジングは、可撓性ハウジングおよび剛性ハウジングから成るグループからの１つを含む、請求項１３の装置。
【請求項１５】
前記可撓性ハウジングは、皮革、木綿、ライクラ、スパンデックス、ビニール、ナイロン、ネオプレン、キャンバス生地、合成織物、天然織物、プラスチック、およびゴムから成るグループからの１つを含む、請求項１４の装置。
【請求項１６】
前記剛性ハウジングは、剛性プラスチック、剛性ゴム、金属、ガラス繊維、樹脂、および金属複合材から成るグループからの１つを備える、請求項１４の装置。
【請求項１７】
前記解放可能なキャッチ機構は第１部分と第２部分とを備え、前記解放可能なキャッチ機構の前記第１部分は前記ハウジングと結合され、前記解放可能なキャッチ機構の前記第２部分は前記ストラップと結合される、請求項１３の装置。
【請求項１８】
前記キャッチ機構の前記第１部分と前記第２部分は、ボタン組立体、ベルクロ組立体、バックル組立体、クリップ組立体、フックおよびループ組立体、フックおよびキャッチ組立体、ボールおよびキャッチ組立体、磁石組立体、ならびに接着材組立体から成るグループからの１つの相反相手部分を備える、請求項１６の装置。
【請求項１９】
前記ハウジングおよび前記ストラップは単一体構造を備える、請求項１３の装置。
【請求項２０】
前記ストラップは物体を固定するように構成される、請求項１３の装置。
【請求項２１】
前記物体はユーザの外肢を含む、請求項２０の装置。
【請求項２２】
前記ストラップはベルクロ構造の第１部分と、ベルクロ構造の第２部分とを備え、ベルクロ構造の前記第１部分は、ベルクロ構造の前記第２部分と解放可能に結合する、請求項１３の装置。
【請求項２３】
前記ストラップは閉じたループを備える、請求項１３の装置。
【請求項２４】
前記ハウジングは、カメラ制御装置の操作と表示画面の観察のうちの少なくとも一方のためのアクセス領域を含む、請求項１３の装置。
【請求項２５】
前記アクセス領域は透視性フレキシブルパネルを備える、請求項２４の装置。
【請求項２６】
前記アクセス領域は窓開口部を備える、請求項２４の装置。
【請求項２７】
前記ハウジングの背部分は表示画面用開口部を含む、請求項１３の装置。
【請求項２８】
前記ハウジングは、前記ストラップと前記解放可能なキャッチ機構のうちの少なくとも一方を結合するための嵌合点を備える、請求項１３の装置。
【請求項２９】
前記ハウジングは、衣服の部位へ一体化されている、請求項１３の装置。
【請求項３０】
カメラシステムであって、
カメラと、
前記カメラ上の第１個所に配置された第１固定構造と、
前記カメラ上の第２個所に配置された第２固定構造と
を備え、  前記第１固定構造と前記第２固定構造体は、前記カメラが第１固定位置と第２固定位置で物体に固定することを許容するように構成される、カメラシステム。
【請求項３１】
前記第１固定構造は第１固定機構の第１部分と結合し、前記第１固定構造は、嵌合点、取付けバー、ボタン組立体の第１部分、ベルクロ組立体の第１部分、磁石組立体の第１部分、クリップ組立体の第１部分、および接着材から成るグループからの１つを備える、請求項３０のカメラシステム。
【請求項３２】
第２固定構造は前記第２固定機構の前記第１部分と結合し、前記第２固定構造は、嵌合点、ボタン組立体の第１部分、ベルクロ組立体の第１部分、バックル組立体の第１部分、クリップ組立体の第１部分、フック組立体の第１部分、ボールおよびキャッチ組立体の第１部分、磁石組立体の第１部分、ならびに接着材から成るグループからの１つを備える、請求項３０のカメラシステム。
【請求項３３】
前記第１固定機構と前記第２固定機構のうちの少なくとも一方は解放可能な結合部を備え、前記それぞれの固定構造体との結合を解かれた時に前記第１固定位置に、前記それぞれの固定構造体と結合された時に前記第２固定位置にカメラを固定する、請求項３１のカメラシステム。
【請求項３４】
前記カメラのハウジングは、前記第１固定機構と前記第２固定機構とを一体化する、請求項３０のカメラシステム。
【請求項３５】
前記第１固定機構と前記第２固定機構のうちの少なくとも一方は、前記カメラのハウジングと一体化したストラップを備える、請求項３０のカメラシステム。
【請求項３６】
携帯機器との使用のために構成される装着具であって、
前記携帯機器の第１部分を枢動可能に固定するように構成されるストラップと、
前記ストラップに結合され、前記携帯機器の第２部分を解放可能に結合するように構成されるキャッチ機構と
を備え、前記携帯機器から前記キャッチ機構を切り離すことが第１固定位置を構成し、前記キャッチ機構を結合することが第２固定位置を構成する、装着具。
【請求項３７】
前記ストラップは可撓性材料を含む、請求項３６の装着具。
【請求項３８】
前記携帯機器と解放可能に結合するための前記キャッチ機構は、フックおよびループ組立体、磁石組立体、ベルクロ組立体、ボールおよびキャッチ組立体、クリップ組立体、バックル組立体、ボタン組立体、ならびにフックおよびキャッチ組立体のグループの１つを備える、請求項３６の装着具。
【請求項３９】
前記ストラップは閉じたループを備える、請求項３６の装着具。
【請求項４０】
カメラまたはカメラハウジングとの使用のために構成された装着具であって、
前記装着具を物体へ固定するように構成されたストラップと、
前記ストラップへ接続された少なくとも一部分を有するキャッチ機構と、
前記カメラまたはカメラハウジングを固定するように構成された結合機構であって、前記結合機構は第１個所および第２個所を含み、前記第１個所は前記ストラップへ枢動可能に接続され、前記第２個所は前記キャッチ機構を解放可能に結合するように構成され、前記結合機構は前記キャッチ機構から結合を解かれた時に第１固定位置にあり、前記キャッチ機構と結合された時に第２固定位置にある、結合機構と
を備える装着具。
【請求項４１】
前記結合機構は、前記カメラまたは前記カメラのハウジングを固定するように構成された結合バンドを備える、請求項４０の装着具。
【請求項４２】
前記キャッチ機構は第１部分と第２部分とを備え、前記キャッチ機構の前記第１部分は前記結合機構と結合され、前記キャッチ機構の前記第２部分は前記ストラップと結合される、請求項４０の装着具。
【請求項４３】
前記キャッチ機構の前記第１部分と前記第２部分は、ボタン組立体、ベルクロ組立体、バックル組立体、クリップ組立体、フックおよびループ組立体、フックおよびキャッチ組立体、ボールおよびキャッチ組立体、磁石組立体、ならびに接着材組立体から成るグループからの１つの相反相手部分を備える、請求項４２の装置。
【請求項４４】
前記結合機構は、ゴム、プラスチック、皮革、ベルクロ、合成織物、天然織物、金属材料、接着材料、および磁石材料から成るグループからの１つを含む、請求項４０の装置。
【請求項４５】
前記結合機構は、可撓性材料および剛性材料から成るグループからの１つを含む、請求項４０の装置。
【請求項４６】
前記ストラップは、ベルクロ構造の第１部分とベルクロ構造の第２部分とを備え、ベルクロ構造の前記第１部分は、ベルクロ構造の前記第２部分を解放可能に結合する、請求項４０の装置。
【請求項４７】
前記結合機構は、前記カメラまたは前記カメラのハウジングを固定するように構成された磁石を備える、請求項４０の装着具。
【発明の詳細な説明】
【技術分野】
【０００１】
本願は、ニコラス  Ｄ．ウッドマンにより２００３年４月１０日に出願された、「ユーザにカメラを取付けるための装着具」と題する米国特許出願第６０／４６２，５４８号、ニコラス  Ｄ．ウッドマンにより２００３年５月５日に出願された、同じく「ユーザにカメラを取付けるための装着具」と題する米国特許出願第６０／４６８，３６８号、およびニコラス  Ｄ．ウッドマンにより２００３年５月２３日に出願された、同じく「ユーザにカメラを取付けるための装着具」と題する米国特許出願第６０／４７３，３６７号に関連し、３５ＵＳＣ１１９（ｅ）に基づきそれらの優先権を主張するとともに内容を引用して本願へ組み込む。
【０００２】
本発明は、カメラストラップ等の機器固定機構に関し、より詳細には、身体活動を行っている間に使用するカメラ等の機器を人体へ取付けるための改良装着具システムに関する。
【背景技術】
【０００３】
カメラを種々の操作条件の下で携行し、手に取り、使用するという利便上の課題は、携帯写真撮影が始まった当初からのものであった。近年、例えばサーフィン、シュノーケリング、スキー、マウンテンバイク、カヤック、急流ラフト下り等、ペースの速い身体活動に参加しつつアクション写真を撮ろうとする撮影者の増加にともなって、この課題はなお更に大きくなっている。こうした身体活動は、進行中のアクションの写真を撮りたい場合に、撮影者をポケットやバッグが無い状態に置き、たとえあってもそこからカメラを取り出す猶予を与えないことが多い。
【０００４】
そのような身体活動中に撮影者がカメラを素早く手に取ることができる場合であっても、不測の落下や状況の変化により撮影者がカメラを保持し続けることが困難になることもある。撮影者が自らの安全を確保するために素早く両手を自由にしなければならない場合、結局はカメラを損傷し、破損し、紛失してしまうことがある。人々は、自分の気に入りの身体活動中にカメラを携行できて、それを素早く手に取ることができ、そのような時に確実に使用できる便利な方法があれば、もっと多くの写真を撮ることが可能になり、もっと良好な写真でさえ撮ることが可能になる。
【０００５】
速いペースの身体活動中の写真撮影にともなう別の課題は、写真を撮った後にカメラをどうするかという点である。例えば、サーフィン撮影者が波頭の写真を撮影した後、両手を自由にして素早く自分のサーフボードを波の下に押し込まねばならないかもしれない。急流ラフト下りの撮影者は、身を切られるような急流の眺めを、多分、急流に入る直前に写真撮影したいであろうが、撮影後直ちに両手を自由にして自らを支えるかまたはラフトを操縦する必要があるかもしれない。いずれの場合でも、写真撮影後、撮影者はカメラを確実にしまい込む時間的余裕がない。
【０００６】
更に、撮影者は、自分のカメラをしまい込むという面倒をせずに所定の身体活動を享受できるよう、即座にカメラが邪魔にならないようにすることを正に好むであろう。どんな状況であれ、サーフィン、シュノーケリング、カヤック、急流ラフト下り等の身体活動時にカメラを利便性良く携行し、素早く手に取って、確実に使用することに係わる課題を解決する策は今のところない。
【０００７】
これまで、こうした課題に対する解決策を提供する試みがなされてきた。長年にわたり、新品カメラには、撮影者にとってカメラの携行に好都合なようにゴムバンドおよび手首または首に掛けるロープが付いている。これは公園を歩くには十分であるかもしれないが、カメラが手首や首で乱暴に振り回されるサーフィンや急流でのラフト下りは、こうした身体活動に参加している間は、カメラの携行にとって理想的つまり安全な方法からは程遠い。撮影者、カメラ、あるいは近くの人が、振り回されるカメラによって怪我をする可能性もある。
【０００８】
撮影者が手首に掛けたゴムバンドまたはナイロンストラップを上手く握っておれないと、カメラは難なく失せてしまうことになる。そして、カメラを携行するこの方法は確かにカメラへの即座のアクセスをもたらすが、残念なことにカメラを必要としない時にユーザは両手を自由にして所定の身体活動に参加することができない。このように、単純なゴムバンドやナイロンストラップによる解決策は、所定の身体活動へ撮影者が参加して、これを享受する障害となり、自己の安全とカメラの安全をある程度は犠牲にするものである。
【０００９】
こうして、従来の装置すなわち解決策は、撮影者が身体活動に参加しながらも、カメラを利便的に携行し、手に取って、これを確実に保持して使用し、そして素早くしまい込める的確な手段を提供できなかった。従って、遠い固定位置でカメラを携行することを可能にし、ユーザへ固定したままでカメラを保持して使用するために、素早いアクセスを提供し、そして上記の遠い固定位置にカメラをしまい込むことを可能にする解決策に対するニーズがある。
【発明の開示】
【００１０】
本発明は、ユーザの身体、例えば、腕、手首、脚、または角度（訳注：実際は ankle-足首であると考えます。）等の外肢（またはその一部分）へ、身体活動に携わりながらカメラを利便的に携行したりおよび／または写真を撮ったりするために、それを種々の位置へ枢動できるようにする様式で取付ける装着具を包含する。その上、本発明の一実施の形態で、カメラがどんな方位に枢動されようと、カメラは装着具との結合を保つ。従って、本発明は、ユーザがカメラの保持に手を使えない場合であっても、カメラをユーザの外肢へ固定したままにしておくことができる点で有益である。
【００１１】
本発明によれば、カメラ装着具は、ユーザが身体活動に参加しながらその活動の障害にならない様式で、ユーザがカメラを快適に、利便的に、そして確実に携行できるようにする。また、カメラ装着具は、ユーザが身体活動に参加しながらもカメラを素早く手にとって使えるようにする。
【００１２】
本発明の更なる実施の形態で、カメラ装着具は、ユーザが身体活動に参加しながら、ユーザがカメラを確実に保持して、カメラのファインダを通して容易かつ鮮明に見たり、ＬＣＤ画面を見たりすることができる直立位置にカメラを枢動できるように構成してもよい。言うまでもなく、ユーザが身体活動に参加しながらカメラから余儀なく手を放してしまう事故や事象の変化が生ずる事態でも、このカメラ装着具はユーザがカメラを所持し続けることを可能にする。その上、カメラ装着具は、写真撮影後にユーザがカメラを枢動して手首のところの遠い平坦な固定携行位置へ迅速に再固定できるようにする。また、本発明の更に別の実施の形態において、カメラ装着具は、カメラまたはカメラハウジングへ着用つまり装着されていない時にユーザの衣類ポケット、バッグ、または他の物入れに上手く納まる程小さく構成される。このため、カメラ装着具は、使用、携行、およびそれ以外の持運びが簡単で有益である。
【００１３】
なお更に別の実施の形態において、カメラ装着具は、あらゆる大きさの人が快適に着用できるように調節可能に構成されてもよい。また、カメラ装着具は、形状、大きさ、および種類が様々である広範なカメラに適合させて固定するように構成されてもよい。また、本発明は、装着具システムの少なくとも一部つまりその要素をカメラ本体またはカメラハウジングへ内蔵するように構成されてもよい。他の実施の形態において、カメラ装着具−カメラ本体またはカメラハウジングへ内蔵し得る、装着具システムの一部つまり要素を含む−は、ユーザの、固定された平坦な、固定された直立なまたは固定された半直立の、不枢動位置の何れの位置にも取付けできるように構成されてもよい。
【００１４】
他の実施の形態において、カメラ装着具−カメラ本体またはカメラハウジングへ内蔵し得る、装着具システムの一部つまり要素を含む−は、ユーザの腕または手首に対して平坦な第1固定位置にカメラを固定する様式だけでなく、写真を撮るために、直立の第２固定位置へユーザがカメラを引伸ばすつまり引き込むことができる様式で、ユーザへカメラを取付けるように構成されてもよい。カメラに働く張力をユーザが解放すると、カメラはユーザの腕または手首に対して平坦な第１固定位置へ戻る。
【００１５】
本発明は多様な材料で構成されてもよい。一実施の形態において、カメラ装着具は、限定されないものの、例えば、ナイロン、プラスチック、発泡材、ポリプロピレン、革紐、ゴム、ネオプレン、ゴム（訳注：ゴムがダブっています。）、弾性紐、弾性織物、片面または両面テープ、積層接着材、および／またはベルクロ（Ｖｅｌｃｒｏ）（登録商標）を含む市販の軽量構造要素で構成されてよく、これら装着具は信頼性、耐久性、単純性を向上して製造コストを下げつつ、その構築に必要な総部品点数を制限するようにして構成できる。このように、広範な身体活動および環境でカメラを有利に使用できる。その上、カメラ装着具は経済的にしかも短時間で生産できる点で有益である。これは、写真撮影に関与するあらゆる類の消費者、メーカ、および小売業者に対して本発明をアピールするはずである。その上、本発明は、撮影者が脇の方から、すなわち距離を隔てて写真を撮らざるを得ないのではなく、その身体活動の積極的な参加者つまり、撮影中の対象と並んだ参加者になることを可能にする。
【００１６】
本明細書で述べる特徴および利点は、それらが全てではなく、他の多くの特徴および利点は、とりわけ図面、明細書および請求項に照らして当該技術に通常に精通する者には明らかになるであろう。更に、本明細書で使用する言葉は主として読み易さおよび教示を目的に選ばれており、本発明の主題を線引きつまり境界線を引くように選んではいないことに注意されたい。
【００１７】
本発明は、添付図面に関連して考察する時、本発明の以下の詳細な説明および付帯する特許請求の範囲から更に容易に明らかになる他の利点および特徴を有する。
【００１８】
【００１９】
【００２０】
【００２１】
【００２２】
【００２３】
【００２４】
【００２５】
【００２６】
【００２７】
【００２８】
【００２９】
【００３０】
【００３１】
【００３２】
【００３３】
【００３４】
【００３５】
【００３６】
【００３７】
【００３８】
【００３９】
【００４０】
【００４１】
【００４２】
【００４３】
【００４４】
【００４５】
【００４６】
【００４７】
【００４８】
【００４９】
【００５０】
【００５１】
【００５２】
【００５３】
【００５４】
【００５５】
【００５６】
【００５７】
【００５８】
【００５９】
【００６０】
【００６１】
【００６２】
【００６３】
【００６４】
【００６５】
【００６６】
【発明を実施するための最良の形態】
【００６７】
本発明は、カメラ装着具と、改良したカメラ本体と、改良したカメラハウジングとを含み、カメラを使用していない間はユーザの第１固定位置にカメラを固定し、そして第２固定位置でカメラ装着具へ固定したままの状態で、写真を撮る写真撮影位置へカメラを枢動することを許容する。更に、本発明は、ユーザが写真撮影を完了するとカメラを第１固定位置へ迅速に戻すことを許容する。更にまた、本発明は、固定された第１固定位置でカメラをユーザへ固定するために代替のカメラ装着具またはストラップを含み、これを、改良したカメラ本体および／または改良したカメラハウジングへ取付けることを許容する。
全体構造の構成
【００６８】
図１は、展開して延ばした状態にある装着具１ａの斜視図であり、その部品全体を完全に示している。装着具１ａの全長および本体部は、フックおよびループ材、すなわちループ材１７およびフック材２０の２つでできており、両方が共に接合されて１つの単体化した全長を持つフックおよびループ材を形成している。ループ材１７およびフック材２０は連結部１７ｂで共に接合される。両ループ材１７およびフック材２０のフックとループ締着面は図１で上向きである。好ましい実施の形態で、連結部１７ｂは超音波溶接部であるが、限定されないものの、縫着、接着、ステープリング、リベット留め、封緘、鋲留め、綴じ付け等を含む、２つの長さの織物を共に締着する任意の好適手段により形成できる。
【００６９】
代替の実施の形態において、単体構造へ機能性を内蔵するようにループ材１７およびフック材２０を構成することにより、連結部１７ｂをなくしてもよい。更に、好ましい実施の形態で、装着具１ａの全長および本体材料はフック材およびループ材であるが、代替として、限定されないものの、木綿、皮革、ポリプロピレン、ナイロン、ゴム、ネオプレン、プラスチック等を含む他の天然または合成の材料を使用してもよい。
【００７０】
図１および図２は、フック材の下面端部へ締着されたタグすなわちプルタブ２１を示す。好ましい実施の形態で、プルタブ２１は重ねて折り曲げられつまり二重にされ、その端部がフック材２０へ縫着されるが、プルタブ２１は溶接、接着、ステープリング、リベット留め、封緘、鋲留め等、二部品織物を共に締着する任意の好適手段を用いて、プルタブ２１をフック材２０へ取付けできるので、プルタブ２１を重ねて折り曲げる必要もなく、また縫着する必要もない。好ましい実施の形態で、プルタブ２１はポリプロピレン製であるが、限定されないものの、木綿、ゴム、プラスチック、ナイロン、ネオプレン、リボン、テープ等を含む任意の材料で製造できる。一実施の形態では、プルタブ２１を随意に本発明から除外してもよい。
【００７１】
図１は、ループ材１７上に配置されたループ状Ｏ形環すなわちフック環１８を示す。フック環１８の底部は定位置に保持され、パッチ１７０によりループ材１７の上面へ挟持されている。パッチ１７０はフック環１８の両側の連結部１７０ａと連結部１７０ｂとによりループ材１７の上面へ取付けられる。フック環１８は、パッチ１７０がもたらす、ループ材１７へのパッチの非拘束取付けにより、図１の左から右およびその逆でも同じく自由に枢動させることができる。好ましい実施の形態で、フック環１８はゴム製であるが、代替として、限定されないものの、ネオプレン、プラスチック、金属、繊維材料、織物または弾性紐等を含む他の種類の任意の材料で製造できる。一実施の形態で、フック環１８は自由に枢動する必要はない。フック環１８の直径、厚さ、弾性または伸縮性は任意であってよく、所望の伸縮および／または取付け特性を保有する多様な材料または構成要素で編成されてもよい。更に、フック環１８は環以外の任意の形状であってもよい。
【００７２】
更に、好ましい実施の形態において、パッチ１７０はフック材およびループ材、特にループ材で作られるが、代替として、限定されないものの、フック材、木綿、ポリプロピレン、ナイロン、ゴム、ネオプレンまたはプラスチック等を含む天然または合成の材料をパッチ１７０の材料として使用できる。また、パッチ１７０をなくして、フック環１８をループ材１７上へ直に縫着してもよい。好ましい実施の形態で、フック環１８はＯ形環であるが、限定されないものの、方形環、Ｄ形環、または三角形環を含め、任意形状がフック環１８の置換え形状として役割を果たし得る。
【００７３】
更に、代替として、限定されないものの、フック材、ループ材、ナイロン、ゴム、ゴムバンド、ポリプロピレン、ネオプレン、プラスチック等を含む任意の材料のストリップまたは複数ストリップがフック環１８としての役割を果たし得る。好ましい実施の形態で、連結部１７０ａおよび連結部１７０ｂは超音波溶接であるが、代替として、縫着、接着、ステープリング、リベット留め、封緘、鋲留め、綴じ付け等、二部品の織物を共に締着する任意の好適手段を代替として使える。更に、好ましい実施の形態で、フック環１８およびパッチ１７０の底部は、図１ではフック材１７の上面に配置されているが、代替として、フック環１８およびパッチ１７０の両底部をループ材１７の下面へ配置して締着してもよい。
【００７４】
図１は、ループ材１７の左端へ取付けた鞍帯締めループすなわち方形環１４と、ベースプレートすなわち結合プレート１０（図７）とを示す。これは、ループ材１７の端部を結合プレート１０に配置した枢動チャネル１０ｅ（図７）の周りに折り込んで、方形環１４に通してなされる。次に、ループ材１７の端部をループ材１７の下面でそれ自体の下へおよびそれ自体上へ折り返し、連結部１７ａのところでそれ自体へ締着される。ループ材１７をそれ自体の下へおよびそれ自体の上へ折り返すことで形成される折部はヒンジ点つまり枢動スリーブ１５を形成し、方形環１４および結合プレート１０がピボット運動を行えるようにして両者をループ材１７へ取付ける。一実施の形態では、方形環１４が枢動する必要はない。
【００７５】
図１において、方形環１４は結合プレート１０の下側に配置されている。好ましい実施の形態で、方形環１４はプラスチック製であるが、代替として、限定されないものの、異なる種類のプラスチック、ゴム、金属、織物、合金、複合材等を含む任意の他の天然または合成材料で製作、モールド成形、機械加工、またはその他方法で製造できる。好ましい実施の形態で、結合プレート１０はゴム製であるが、代替として、限定されないものの、異なる種類のプラスチック、ゴム、金属、織物、合金等を含む任意の他の天然または合成材料で製作、モールド成形、機械加工、またはその他方法で製造できる。好ましい実施の形態で、結合プレート１０は一部品としてモールド成形されるが、代替として、複数部品としてモールド成形、製作、またはその他方法で製造でき、その後に複数部品は任意の合理的手段によって一緒に取付けられて結合プレート１０が形成される。結合プレート１０は半剛性であるが、代替として、それは剛性であっても、可撓性であってもよい。
【００７６】
好ましい実施の形態で、連結部１７ａは超音波溶接であるが、代替として、限定されないものの、フックとループでの締着、縫着、接着、ステープリング、リベット留め、封緘、鋲留め、綴じ付け等を含む、二部品の織物を共に締着する任意の好適手段を使えるであろう。好ましい実施の形態で、枢動スリーブ１５はループ材１７の折部で形成されるが、限定されないものの、異なる種類のプラスチック、ゴム、金属、織物等を含む任意の種類の材料でも製作、機械加工、モールド成形、またはその他方法で製造でき、それにより、限定されないものの、溶接、縫着、接着、ステープリング、リベット留め、封緘、鋲留め等を含む、二部品の材料を共に取付けるのに好適な任意の手段によりループ材１７の端部へ代替材を取付けることができる。
【００７７】
図１、２、３、および４は、結合プレート１０から突出する環、バンドすなわち結合バンド１０ａと結合バンド１０ｂとを示す。図３および４は、カメラ本体周りに伸張する結合バンド１０ａと結合バンド１０ｂとを示す。好ましい実施の形態で、結合バンド１０ａと結合バンド１０ｂとは、結合プレート１０の一部としてモールド成形され、ゴム製であるが、結合プレート１０、結合バンド１０ａ、および結合バンド１０ｂは、代替として、限定されないものの、紐、ネオプレン、フックおよびループ材、任意の種類のゴム、ナイロン、ライクラ等を含む任意の材料でできた単体部品または個別部品として製作、モールド成形、機械加工、またはその他方法で製造できる。更に、結合プレート１０、結合バンド１０ａ、および結合バンド１０ｂは、様々な種類、大きさ、および形状のカメラに適応するように、任意の色、厚さ、大きさ、硬さ、可撓性または剛性、を持つものであってよい。
【００７８】
一実施の形態で、結合バンド１０ａおよび結合バンド１０ｂは閉ループ環として記載されているが、結合バンド１０ａおよび結合バンド１０ｂの両方とも、限定されないものの、方形、長円形、楕円形を含む代替形状であってもよく、さもなければ、限定されないものの、フックおよびループ材、ゴム、ネオプレン、ナイロン接着テープ、接着材等を含む長さ方向に開いた材料であってもよい。更に、結合バンド１０ａおよび結合バンド１０ｂを、結合プレート１０との単体部品として製作してもよいが、代替として、結合バンド１０ａおよび１０ｂを、結合プレート１０とは別体の単体部品または別体の複数部品として製作してもよく、その場合は、それらを結合プレート１０へスナップ結合または任意の他のやり方で取付けできる。
【００７９】
好ましい実施の形態では、結合バンド１０ａおよび結合バンド１０ｂは両方とも存在するが、代替の実施の形態は単体の結合バンド１０ａまたは単体の結合バンド１０ｂだけを含むことができる。更に、結合プレート１０は、その組立時に結合バンド１０ａおよび結合バンド１０ｂの周りに挟持する複数部品で製作できる。好ましい実施の形態で、結合プレート１０はゴム製であるが、代替として、限定されないものの、プラスチック、織物、ネオプレン、複合材、または金属を含む任意の材料で製造できる。
【００８０】
図１、２、および３は、結合バンド１０ａおよび結合バンド１０ｂの上部領域へ取付けた留め金つまりキャッチ部品１３を示す。図６は、キャッチ部品１３の斜視図である。キャッチ部品１３は、相手留め金つまりフック部品１９（図５）のフック端１９ｂ（図５）を受容するようにその本体の前中央に凹んだキャビティすなわちキャッチ受台１３ｄを有する。キャッチ部品１３とフック部品１９が係合すると、カメラは第１固定位置に保たれる。代替の実施の形態として、キャッチ受台１３ｄはキャッチ部品１３から除くことができ、中空貫通部つまりチャネルが代役を果たすことができ、結果としてキャッチ部品１３は中空貫通中心を有することになる。
【００８１】
キャッチ部品１３は、結合バンド１０ａおよび結合バンド１０ｂを引伸ばすことによって先ず結合バンド１０ａおよび結合バンド１０ｂの断面直径を縮小させ、溝チャネル１３ｃ（図６）を介して結合バンド１０ａおよび結合バンド１０ｂをアンカー溝１３ａ（図６）およびアンカー溝１３ｂ（図６）へ引き込み、結合バンド１０ａおよび結合バンド１０ｂへ取付けられる。溝チャネル１３ｃは、アンカー溝１３ａおよびアンカー溝１３ｂがそうであるように、キャッチ部品１３の下面を横断して延びている。結合バンド１０ａおよび結合バンド１０ｂがアンカー溝１３ａおよび１３ｂ内に配置されて、それ以上引伸ばされていない状態で、結合バンド１０ａおよび結合バンド１０ｂの断面直径がアンカー溝１３ａおよび１３ｂ内で拡大し、その結果、結合バンド１０ａおよび結合バンド１０ｂはキャッチ部品１３へ堅固に取付けられることになる。
【００８２】
一実施の形態で、キャッチ部品１３は、剛性材料または実質的に剛性のある材料、例えばプラスチックでできていてよい。キャッチ部品１３は、代替として、限定されないものの、異なる種類のプラスチック、ゴム、金属、合金、複合材等を含む任意の他の材料で製作、モールド成形、機械加工、またはその他方法で製造されてもよい。更に、一実施の形態で、溝チャネル１３ｃ、溝アンカー１３ａ、および溝アンカー１３ｂは、キャッチ部品１３の下面に配置される。
【００８３】
代替として、溝チャネル１３ｃ、溝アンカー１３ａ、および溝アンカー１３ｂは、キャッチ部品１３の前部、背部、または上側の何れにも配置できる。更に、アンカー溝１３ａおよび１３ｂはそれぞれ溝チャネル１３ｃを有し、例えば、図示のように、単体の溝チャネル１３ｃを共有するのでなく、複数の溝チャネル１３ｃを形成することができる。代替として、キャッチ部品１３はアンカー溝１３ａだけを有し、アンカー溝１３ｂを含まなくてもよい。アンカー溝１３ａおよびアンカー溝１３ｂならびに溝チャネル１３ｃに対するこれら代替の何れの組合せも、キャッチ部品１３の上部、底部、一つ以上の側部、および／または前部もしくは背部を任意に組合せて配置してもよい。
【００８４】
更に一実施の形態で、結合バンド１０ａと、結合バンド１０ｂと、キャッチ部品１３とは、単一ユニットとして機能するように一緒に取付けられた別体の要素であるが、代替として、結合バンド１０ａと、結合バンド１０ｂと、キャッチ部品１３とを１つの単体部品つまり要素として、別体の部品として、または結合プレート１０との組合せで、製作、モールド成形、機械加工、またはその他方法で製造することができ、多分、溝チャネル１３ｃ、溝アンカー１３ａ、および溝アンカー１３ｂに対する必要性を解消するだろう。更なる代替において、結合バンド１０ａと、結合バンド１０ｂと、キャッチ部品１３と、結合プレート１０とを１つの単体部品つまり要素として製作、モールド成形、機械加工、またはその他方法で製造することができる。加えて、キャッチ部品１３は、接合時に結合バンド１０ａおよび結合バンド１０ｂの周りを挟持して、両バンドを所定位置に保持する別体の複数部品としてモールド成形またはその他方法で製造できる。
【００８５】
図１、２、および３は、フック環１８の上端へ取付けたフック部品１９を図示する。図３は、キャッチ部品１３に引掛けた、係合させた、または留めているフック部品１９を示す。図５はフック部品１９の斜視図である。フック環１８を引伸ばしてフック環１８の断面直径を縮小させ、次にフック部品１９に設けた切欠きチャネルすなわちアンカー溝１９ａへフック環１８を引き込むことによって、フック部品１９をフック環１８へ取付ける。フック環１８をアンカー溝１９ａ（図５）内に配置してフック環１８がそれ以上引伸ばされなくなると、フック環１８の断面直径がアンカー溝１９ａ内で拡大し、フック環１８はフック部品１９へ堅固に取付けられる。好ましい実施の形態で、フック部品１９はプラスチックのモールド成形で製造されるが、代替として、フック部品１９は、限定されないものの、異なる種類のプラスチック、ゴム、織物、金属、合金、フックおよびループ材等を含む任意のその他材料で製作、モールド成形、機械加工、またはその他方法で製造できる。
【００８６】
好ましい実施の形態で、フック環１８は、アンカー溝１９ａ内に挟持されることによってフック部品１９へ取付けられるが、この代替として、フック部品１９をフック環１８へ、クランプ、接着、溶着、溶接、縫合、縫着、曲げ、結び、リベット留め、または任意の他の適切な方法で取付けることができる。その上、アンカー溝１９ａはフック１９の下面に位置するが、代替として、対照的にアンカー溝１９ａをフック部品１９の上面または背側端部に配置できる。更に、フック部品１９およびフック環１８は別体の要素として製作されているが、フック部品１９およびフック環１８を、１つの単体部品つまり要素として製作、モールド成形、機械加工、製作、またはその他方法で製造できる。一実施の形態は、フック環１８無しでループ材１７へ直接取付けられるフック１９または同じ目的を持つ部品を持つことができるだろう。
【００８７】
別の代替の実施の形態として、フック環１８およびフック部品１９は、限定されないものの、フックおよびループ材、ネオプレン、ゴム、プラスチック、織物、またはそれらの組合せを含む材料の単一ストリップまたは複数ストリップと置換えることができ、係るストリップは、カメラの胴体またはカメラハウジングの内部またはそれらの上へ取付けられた、または別の方法で一体化されたキャッチ部品１３、結合バンド１０ａおよび／もしくは結合バンド１０ｂ、カメラ本体もしくはカメラハウジング、またはフックおよびループ材に取付けたり、結合したり、あるいはその他方法で係合する。
【００８８】
図１および２は、ループ材１７の下面へ取付けたストリップ材、パッド、すなわち快適ストリップ１６を図示する。好ましい実施の形態で、この快適ストリップ１６はループ材１７の下面へ縫着されるが、代替として、限定されないものの、接着、ステープリング、リベット留め、封緘、鋲留め、積層、綴じ付け等、２部品の材料を共に締着する任意の好適手段によってループ材１７へ取付けることができる。
【００８９】
一実施の形態で、快適ストリップ１６の材料はネオプレンであるが、限定されないものの、木綿、ポリプロピレン、ナイロン、ゴム、発泡体等を含む、任意のその他材料、織物、布地、またはゴムを、ネオプレンの代替として使用できよう。加えて、快適ストリップ１６は装着具１ａの被包含要素であるが、装着具１ａの代替の実施の形態として、快適ストリップ１６を装着具１ａに含めないこともできる。追加の代替の実施の形態として、快適ストリップ１６およびループ材１７は、一部品のベルクロ（登録商標）積層ネオプレンもしくは他のベルクロ（登録商標）積層材の形態に組合せしてもよく、あるいはループ材１７と快適ストリップ１６の機能性を提供するように構成された単体構造であってもよい。追加の実施の形態は、ループ材１７とフック材２０の配置を逆にしたものであり、それによりループ材１７がフック材２０にとって代わり、その逆も同様である。
【００９０】
図４は、あらゆる種類のほとんどのカメラの特徴である、カメラの標準的手首ストラップ取付点へ取付けできる随意の安全紐つまり安全バンド２２を示す。カメラに取付けられると、安全バンド２２は、装着具１ａがオペレータの手首または腕の周りに鞍帯締めされ締着されている時に、フック材２０を安全バンド２２に通して導き、フック材２０とループ材１７との間に安全バンド２２を挟持することによって装着具１ａへ取付けられる。好ましい実施の形態で、安全バンド２２はオペレータの裁量で包含または除外できる随意の要素である。好ましい実施の形態に対する代替として、安全バンド２２は、装着具１ａの一体化要素であってもよい。また、一実施の形態で、安全バンド２２はゴムバンドであるが、任意のその他材料でできたバンドすなわちストリップを代替として使用できるだろう。
操作および機能
【００９１】
ここで、本発明による装着具１ａを使うための一実施の形態を、例えば、左腕または左手首へカメラを装着しているユーザ（つまりオペレータ）の観点から説明する。本明細書に記載する工程および原理は、カメラ装着具１ａが装着される他の何れの外肢や部位にも適用できる。
【００９２】
装着具１ａのオペレータは、先ず結合バンド１０ａおよび結合バンド１０ｂをカメラ本体の周りに引伸ばし、それによりキャッチ部品１３はカメラ上部、例えば図３、３ａ、および３ｂに示す位置に配置される。キャッチ受台１３ｄはカメラレンズと同じ方向へ向く必要がある。オペレータは、図３および図３ａに示す通り、カメラレンズの両側へ結合バンド１０ａおよび結合バンド１０ｂを調節し、引伸ばし、または移動させることによって結合バンド１０ａおよび結合バンド１０ｂの中央にカメラレンズを配置する。
【００９３】
ユーザは、カメラ背部に配置した結合バンド１０ａおよび結合バンド１０ｂの領域へ同じ調節を行って、カメラのファインダを結合バンド１０ａと結合バンド１０ｂとの間またはその外へ配置すればよい。結合バンド１０ａおよび結合バンド１０ｂの内側でのカメラの厳密な位置決め、もっと正確に言えば、カメラ本体周りの結合バンド１０ａおよび結合バンド１０ｂの配置は、様々な形状、大きさ、および寸法のカメラを単一バージョンの装着具１ａに合わせることができるように可変である。
【００９４】
オペレータが結合バンド１０ａおよび結合バンド１０ｂの内側にカメラを固定すると、オペレータは手首またはその上で左腕を横断して装着具１ａを纏い、そうすることで装着具１ａのフックおよびループ締着面は上を向いた状態になり、装着具１ａのプルタブ２１の端部はオペレータの身体に最も近づいた状態になる。次に、オペレータは装着具１ａのプルタブ２１の端部を方形環１４に通して送り込み、装着具１ａがオペレータの手首または腕の周りに所望の張力となるまで装着具１ａのプルタブ２１の端部を鞍帯締めする。オペレータは、次にフック材２０をループ材１７へ締着して、オペレータの手首または腕周りで装着具１ａの所望の張力を維持する。この時点で、装着具１ａと装着されたカメラはオペレータの左手首つまり左腕へ締着される。
【００９５】
この時点以降、オペレータは右手でカメラを把持して引起こすことができる。オペレータは、図３ａに示すように必ずしも必要ではないが、写真を撮るためにカメラのファインダを覗く目的で、左手首または左腕を自分の顔近くへ動かすことができる。オペレータは、図３ａに示すように、ファインダを覗くことを容易にする直立位置までカメラを簡単に枢動させることができる。右手は写真を撮るようにカメラを把持してカメラのシャッターボタンを押せるように所定位置をとる一方、左腕の役目は明瞭な写真露出のためにカメラの安定保持を助けることである。
【００９６】
本発明の１つの利点は、ユーザが滑ったり、落下したり、あるいはそれ以外で両手を即座に自由にする必要がある場合、ユーザが自らの安全確保に必要なことができるようにカメラから手を放せることである。カメラは、結合バンド１０ａ、結合バンド１０ｂ、結合プレート１０、キャッチ部品１３、および枢動スリーブ１５で構成されたカメラと装着具１ａとの結合システムによって、装着具１ａとオペレータとへ装着されたままである（図３ｂ）。
【００９７】
オペレータが写真を撮り終えてカメラを固定携行位置へ配置したい場合、オペレータは自分の腕または手首の平坦な安定位置に素早く固定できる。そうするために、オペレータは、自分の右手を使って手首の平坦位置（図３）までカメラを枢動することができ、次に右の親指または親指と人差し指を使って、所望の方法によりフック端１９ｂがキャッチ受台１３ｄ内に係合するまでフック部品１９をキャッチ部品１３内へ押し込むか引き込むことができる。この時点で、フック部品１９は、キャッチ部品１３と確実に係合することになる。これは、カメラをオペレータの腕または手首の平坦な携行位置に固定することになる。
【００９８】
この時点で、オペレータは、腕または手首の平坦固定位置からカメラを倒したり、緩めたり、解放したりせずに、左腕および左手を自由に使用できる。もっと強く、もっと確実な納まりを望む場合、オペレータは腕または手首周りの装着具１ａの張力を高めることができ、それによりフック環１８およびフック１９の張力も高めて、カメラをオペレータの腕または手首に平たくに押え付けることになる。
【００９９】
安全バンド２２（図４）を装着するには、ほとんどのカメラの特徴要素である取付けバーまたは取付けループへ標準ゴムバンドを取付けるのと同じ鞍帯締め方式で、オペレータが安全バンド２２をカメラへ取付ける。安全バンド２２がカメラへ確実に鞍帯締めされると、オペレータはフック材２０をループ材１７から外し、フック材２０を安全バンド２２の開放端に通して案内し、その過程で安全バンド２２を方形環１４の近くへ引き込む。オペレータは、次にフック材２０をループ材１７へ再締着し、安全バンド２２をフック材２０とループ材１７との間に挟持する。かくして安全バンド２２は、図４に示したように装着具１ａへ固定される。
【０１００】
注目されるのは、装着具１ａをオペレータの手首から取外すのに、オペレータは単にフック材２０をループ材１７から外し、装着具１ａを自分の手首から滑らせて外すだけである。更に、装着具１ａからカメラを取外すのに、オペレータは単に結合バンド１０ａおよび結合バンド１０ｂをカメラから引き外すつまり引伸ばして外すだけである。上の例では特定の右手と左手の使い方に関して検討したが、その逆の操作上の使い方または外肢の組合せ（例えば、脚へカメラ装着具を装着し、画像撮影に右手または左手を使う）も、本発明の原理の範囲内であることに留意されたい。
追加の代替の実施の形態
【０１０１】
本発明は、本発明の精神と範囲から逸脱することなく多様な構成に設計され、操作されることができる。例えば、本発明は、発明の種々の要素の大きさ、形状、配置、配向、および材料に関して数多くの方法で構成できる。より詳細には、例えば、図１ｂに示すように、ループ材１７、フック材２０、快適ストリップ１６、方形環１４、およびプルタブ２１は、限定されないものの、ネオプレン、ナイロン、木綿、ゴム、またはポリプロピレンを含む任意材料の単一スリーブ２４と置換えることができ、それによって単一スリーブ２４は、装着具１ｂをユーザの腕または手首へ装着するのに使用され、それによってユーザは自分の手を単一スリーブ２４に通して滑らせ、単一スリーブ２４および装着具１ｂを自分の手首または腕の上へ引き込む。更に、単一スリーブ２４は、ユーザの手首または腕周りの単一スリーブ２４の張力を高める圧縮ストラップとしての役割を担うフックおよびループ材を任意の方法で単一スリーブ２４へ取付けて有することができる。このフックおよびループ圧縮ストラップは方形環を含むことができ、ユーザが自分の腕または手首周りに緊密にフックおよびループ材ならびに単一スリーブ２４を鞍帯締めすることを許容する。
【０１０２】
更に、図１ｃに示すように、結合プレート１０はばね負荷結合プレート２５と置換えることができ、それによってばね負荷結合プレート２５は、それがオペレータの手首または腕に対して平坦な位置にどのようなカメラが装着具１ｃと共に使用されていようとも保持する様式で、ばね負荷結合プレート２５へ圧力を加えるばね２５ａを有する。オペレータは、そこで、ばね２５を圧縮するように回転圧力をカメラおよびばね負荷結合プレート２５へ加えればよく、このようにして、カメラを写真の撮影のための直立位置へ枢動する。
【０１０３】
オペレータによるそのような圧力解放時に、ばね２５は、カメラをオペレータの腕または手首上の平坦位置へ、結合プレート２５およびループ材１７の両方に取付けられた背部プレート２５ｃに対して、強制的に戻す。加えて、ばね負荷結合プレート２５の底部は、背部プレート２５ｃの底部と同様の長さに延長でき、それによって、結合バンド１０ａおよび結合バンド１０ｂは、図１ｆにおいて結合バンド１０ａおよび結合バンド１０ｂが結合プレート２５ｂへ取付けられている場合と同様の様式で、ばね負荷結合プレート２５の底部へ取付けられる。
【０１０４】
更に別の実施の形態では、図１ｄに示すように、結合プレート１０は、フック材のストリップつまり舌部２６に置換えることができ、それはループ材１７へ取付けられ、カメラ本体２８またはカメラハウジング３２上の延在バー２９または凹溝兼バー３０に通してループにできる。フック材の舌部２６は、次に折り返されて、ループ材１７に係合し、かくして、カメラ本体２８またはカメラハウジング３２が装着具１ｄへ装着されている間に枢動するのを許容する様式で、カメラ本体２８またはカメラハウジング３２を装着具１ｄへ装着する。更に、フック材の舌部の一端は枢動スリーブ１５へ縫着、溶接、または別のやり方で取付けできる。
【０１０５】
図１ｅに示すように、結合プレート１０は、雄バックルすなわち雄クリップ２７と置換えることができ、これを、カメラ本体２８またはカメラハウジング３２に一体化された相手の雌クリップ３１内へクリップ留めできよう。これによって、カメラ本体２８またはカメラハウジング３２が装着具１ｅへ装着されている間の枢動を許容する様式で、カメラ本体２８またはカメラハウジング３２を装着具１ｅへ装着する。代替として、図１ｅに示すような雄クリップ２７は、雌クリップ３１と置換えることができ、カメラ本体２８上の雌クリップ３１は、雄クリップ２７と置換えることができる。任意の種類の雄もしくは雌クリップ、接続具、または連結部を代替として使用でき、図１ｅに示すのは単なる例示参照である。代替として、雄クリップ２７および雌クリップ３１は、時計を腕時計バンドへ取付けるのに使用する、例えば、磁気抵抗に類似する接合部品と置換えてもよい。
【０１０６】
図１ｆに示すように、結合プレート１０はばね負荷結合プレート２５ｂと置換えることができ、それによって結合バンド１０ａおよび結合バンド１０ｂは図示のように結合プレート２５ｂへ取付けられる。更に、図１ｇに図示するように、結合プレート１０は、ばね負荷クリップ３３と置換えて、カメラの本体またはハウジングへ取付ける、すなわちクリップ留めできる。更に、ばね負荷クリップは、カメラ本体もしくはカメラハウジング上の凹溝兼バー３０（図８ｄ）、または延在バー２９（図８ｃ）へ取付けできる。代替として、ばね負荷クリップ３３はばね以外、例えば磁気抵抗で閉じて保持できる。
【０１０７】
図１ｈに示すように、結合プレート１０は静止クリップ３４と置換えることができ、それをカメラの本体またはハウジングへ取付ける、すなわちクリップ留めすることができる。更に、ばね負荷クリップは、カメラ本体またはカメラハウジング上の凹溝兼バー３０（図８ｄ）または延在バー２９（図８ｃ）へ取付けできる。更に、図１ｉに示すように、結合プレート１０はフック材の舌部２６と置換えることができ、これを、枢動スリーブ１５のところで、またはその近くでループ材１７へ縫着、溶接、その他の方法で取付ける。フック材の舌部２６のフック側は、図１ｉでは下向きであり、カメラ本体またはカメラハウジング上の延在バー２９または凹溝兼バー３０に通して押し込まれ、次にループ材１７と係合すればよく、カメラ本体２８またはカメラハウジング３２が装着具１ｉへ取付けられている間の枢動を許容する様式で、カメラまたはカメラハウジングを装着具１ｉへ固定する。カメラ本体が剛性あるいは実質的に剛性であることが注目される。カメラハウジングは剛性であっても、実質的に剛性であっても、可撓性であっても（例えば、皮革、ビニール、ネオプレン、スパンデックス、もしくはその同類）、実質的に可撓性であってもよい。
【０１０８】
代替の実施の形態では、フック材の舌部２６はループ材の舌部と置換えることができる。代替として、フック材の舌部２６は、それへ取付けられたボタンを有することができ、それはカメラ本体、カメラハウジング、またはループ材の何れかに取付けられた相手ボタンと係合する。代替として、フック材の舌部２６は、カメラ本体またはカメラハウジングへ取付く接着材で被覆された片面を有することができる。
【０１０９】
更に、装着具１ｅはループ材の追加の舌部を持つことができ、これは、フック材の舌部２６がフック材の舌部２６の両面を裏張りするフック材またはベルクロを持つと想定する場合、フック材の舌部２６がループ材１７と係合した後に、ループ材の追加の舌部がフック材の舌部２６の上に折り曲げられることを許容する様式で、ループ材１７へ縫着または別の方法で取付けられる。このループ材の追加の舌部は、フック材の舌部２６の上に折り曲げられると、フック材の舌部２６をループ材１７へ更に固定し、装着されたカメラ本体またはカメラハウジングを装着具１ｉへ更に固定することになる。
【０１１０】
更に、フック材の舌部２６は、ループ材１７と係合しない側すなわち面にループ材を持つことができ、それにより装着具１ｉがユーザの腕または手首周りに鞍帯締めされている間にフック材２０をフック材の舌部２６と係合させることができる。加えて、装着具１ｉは、フック材の舌部２６の上に折り曲げるつまり二重になる長さのフックおよびループ材を、装着具１ｉへ縫着または別の方法で取付けることができ、係合されたときに、フック材の舌部２６をループ材１７へ更に固定する。
【０１１１】
図１ｊに示すように、結合プレート１０はフック材の舌部２６と置換えることができ、それはループ材１７へ縫着、溶接、係合、またはその他方法で取付けられる。フック材の舌部２６のフック面は、図１ｊでは下向きであり、カメラ本体またはカメラハウジング上の延在バー２９または凹溝兼バー３０に通して押し込まれ、次に方形環１４に通して押し込まれ、そして装着具１ｊの下面でループ材１７と係合されればよく、カメラ本体２８またはカメラハウジング３２が装着具１ｊへ装着されている間の枢動を許容する様式で、カメラまたはカメラハウジングを装着具１ｊへ固定する。更に、ループ材１７は、２つの長さの織物を共に取付けるのに好適な何れかの手段によって装着具１ｊの下面へ取付けるように延長でき、フック材の舌部２６との係合面としての役を果たし、その上、ユーザの肌へ快適に接触する面を提供する。パッチ１７０は随意で省くことができ、フック環１８はループ材１７の２層間に挟持され、連結部１７０ａと連結部１７０ｂとによって所定位置に保持できる。加えて、快適ストリップ１６およびプルタブ２１を装着具１ｊから随意に省くことができる。加えて、ループ材１７は、両側つまり両面のループ材であってよい。
【０１１２】
図１ｋは、改良されたカメラ本体２８または改良されたカメラハウジング３２と共に使用できて、カメラをユーザへ平坦な固定位置または直立固定位置で装着する、代替のストラップつまり装着具１ｋを示す。例えば、装着具１ｋは、図９ｇに示す改良カメラハウジング３２上の特徴とされる延在バー２９の下に通し込まれつまり押し込まれ、次にユーザの腕または手首周りに鞍帯締めされればよく、かくして、改良カメラハウジング３２を平坦な固定位置でユーザに固定する。装着具１ｋの可変位置に、目視ホール３６が製造時に、またはユーザが位置決めして切開され、それにより装着具１ｋは図９ｉに示すような改良カメラハウジング３２へ装着された場合にあり得るように、さもなければ装着具１ｋがファインダのユーザ視界を遮ってしまうような場合に、ユーザが装着具１ｋを覗いてカメラのファインダを通して見ることを許容する。また、ファインダは透明材を設けてもよい。
【０１１３】
実施の形態によっては、ハウジングがディスプレイ、例えば２インチのＬＣＤ画面を観ることができる観察領域を含んでもよいことが注目される。この観察流域は露出していても透明材料で覆われていてもよい。それに加え、この領域は露出したまたは覆われたもの（例えば、柔軟な透明材）を含み、カメラの機能性、例えばディスプレイで見ることのできる撮影映像の繰返し表示、に連係するボタンを操作してもよい。カメラハウジングは剛性（または実質的に剛性）（例えば、プラスチック、金属、ガラス繊維等）、または柔軟（もしくは実質的に柔軟）（例えば、皮革、ビニール、ネオプレン等）であってよいことも注目される。また、カメラハウジングは、カメラ（または他の機器）自体と一体化でき、またはそれと別体にもできる。その上、カメラハウジングは種々の要素中での使用に適するように構成されてもよい（例えば、耐水要素、大気上の要素）。
【０１１４】
代替として、装着具１ｋは、改良カメラ本体２８または図９ｋに示したような改良カメラハウジング３２の底部上に配置した延在バー２９に通して通し込まれつまり押し込まれ、次にユーザの腕または手首周りに鞍帯締めされればよく、これによってカメラを直立固定位置でユーザに装着する。代替として、装着具１ｋは、改良カメラ本体２８または改良カメラハウジング３２上の延在バー２９、延在バー３５、および／または凹溝兼バー３０の何れの組合せにも通して通し込まれつまり押し込まれればよく、改良カメラ本体２８または改良カメラハウジング３２をユーザへ、腕または手首上の平坦な固定位置または直立固定位置のどちらへでも固定する。装着具１ｋは、代替として、限定されないものの、例えばナイロン、プラスチック、金属、発泡体、ポリプロピレン、編物、ゴム、ネオプレン、片面または両面テープ、積層接着材、および／またはベルクロ（登録商標）を含む種々の材料で構成できる。更に、目視ホール３６は、代替として、装着具１ｋから省くことができる。
【０１１５】
図１ｌは、取付けパッド３７を組込んだ代替の装着具１ｌを示しており、取付けパッド３７は縫着、接着、テーピング、ステープリング、圧接、またはその他方法で装着具１ｌへ取付けられる、すなわちその一部となされる。取付けパッド３７は、限定されないものの、例えばネオプレン、プラスチック、金属、ゴム、編物、ナイロン、両面テープ、発泡体、ベルクロ（登録商標）等を含む多様な異なる材料で製造できる。取付けパッド３７の片面は、装着具１ｌとカメラまたはカメラハウジングとを平坦な固定位置または直立固定位置でそれ自体へ装着するために、それへ加えた接着層つまり積層をもてばよく、ユーザまたはメーカが取付けパッド３７を、従って装着具１ｌをカメラまたはカメラハウジングの面へ接着することを許容する。装着具１ｌは観察窓３７を含むことができ、それはユーザによってまたは製造時点で可変位置に位置決めできる、または観察窓３７は装着具１ｌから省くことができる。
【０１１６】
図１ｍは、本発明の代替の実施の形態の装着具１ｍを示し、ここでは、フック部品１９がキャッチ部品１３に置換わり、結合バンド１０ａおよび結合バンド１０ｂを引伸ばしてアンカー溝１９ａ中へ堅固に引き込むことによって、結合バンド１０ａおよび結合バンド１０ｂへ取付けられる。これはフック環１８がフック部品１９上へ引き込まれ、フック端部１９ｂ中に留まることを許容し、カメラが装着具１ｍへ装着され、装着具１ｍがユーザへ装着されている時に平坦な第１固定携行位置にカメラを固定する。この実施の形態は、ユーザが写真撮影目的で、その過程でフック環１８を引伸ばしてカメラを直立の第２固定位置へ引き込みつまり押し込むことを有利に許容する。
【０１１７】
カメラを平坦な第１固定携行位置へ戻すには、ユーザはカメラにかかる力を解放すると、フック環１８の張力がカメラを平坦な第１固定位置へ引き戻すことになる。フック環１８がフック部品１８またはフック部品３８（図８ｎ）へ取付けられることを許容する何れの本発明の実施の形態も、本発明のこの実施の形態を遂行するこの代替方式で、フック部品１９はフック環１８から取外すことができる。加えて、フック部品１９は、結合バンド１０ａ、結合バンド１０ｂ、および／または任意の実施の形態と組合せて一部品として製作、モールド成形、またはその他方法で製造できる。更に、フック部品１９は、組立て時に結合バンド１０ａおよび結合バンド１０ｂまたはそれらの実施の形態の周りに挟持される別体部品つまり半体に製作、モールド成形、またはその他方法で製造できる。
【０１１８】
図８ｎは、カメラ本体２８の上部上へ一体化された、装着具１ｍ上のフック部品１９と同じ役割を果たす、フック部品３８を有する、カメラ本体２８の実施の形態を示す。代替として、フック部品３８は、カメラ本体２８の隅縁部を含み、上部、背部、前部、底部、または側部へモールド成形、製作、締着、接着、テーピング、またはその他方法で取付けできる。フック部品３８は、カメラまたはカメラハウジングへ取付けるために好適なプラスチック、金属、ゴム、または任意の他の材料で製造できる。
【０１１９】
図９ｎは、カメラハウジング３２の上部上へ一体化された、装着具１ｍ上のフック部品１９と同じ役割を果たす、フック部品３８を有する、カメラ本体の実施の形態を示す。代替として、フック部品３８は、カメラハウジング３２の、隅縁部を含め、上部、背部、前部、底部、または側部へ、モールド成形、製作、締着、接着、テーピング、またはその他方法で取付けできる。代替として、フック環１８は、本発明の装着具を使用しているユーザがそれを着用時に、カメラを平坦な第１固定位置に保持し、次にユーザがカメラを直立の第２固定位置へと引起こす際にフック環１８またはその実施の形態のいずれかが引伸ばされることを許容するために、フック環１８またはその代替の実施の形態のいずれかをカメラ本体２８またはカメラハウジング３２へ堅固に取付けるために好適な任意の様式で、カメラ本体２８またはカメラハウジング３２へ取付けできる。
【０１２０】
図８ａに示すように、本発明は、カメラ本体２８の上部上に一体化されたキャッチ部品１３を有するカメラ本体２８を含むことができる。代替として、キャッチ部品１３をカメラ本体２８の背部上へ一体化できる。更に、キャッチ部品１３をカメラ本体２８の隅縁部上へ一体化できる。更に、キャッチ部品１３は、それをカメラ本体２８へ取付ける接着材被覆面を持つことができる。また、カメラ本体２８は、キャッチ部品１３がカメラ本体２８へ取付けられることを許容する接着材領域を持つことができる。更に、カメラ本体２８は、カメラ本体２８のいずれの面上でもカメラ本体２８へ取付けたまたはその中へ埋込んだフックもしくはループ材、またはベルクロ（登録商標）を持つことができる。加えて、カメラ本体２８は、キャッチ部品１３に置換わるまたはキャッチ部品１３に含まれる、カメラ本体２８のいずれの面上でもカメラ本体２８へ取付けたまたはその中へ埋込んだフックもしくはループ材、またはベルクロ（登録商標）を持つことができる。
【０１２１】
図８ｂに示すように、本発明は、カメラ本体２８の上部中へすなわちその内部に一体化されたキャッチ部品１３を有するカメラ本体２８を含むことができる。代替として、キャッチ部品１３は、カメラ本体２８の背部中へすなわちその内部に一体化できる。代替として、キャッチ部品１３は、カメラ本体２８の隅縁部中へすなわちその内部に一体化できる。
【０１２２】
図８ｃに示すように、本発明は、カメラ本体２８の背部上へ一体化された延在バー２９を有するカメラ本体２８を含むことができる。代替として、延在バー２９は、カメラ本体２８の底部、上部、または隅縁部上へ一体化できる。図８ｇに示すように、延在バーは任意の幅または高さを持ち、カメラ本体２８の、隅縁部を再度含め、背部、前部、上部、または底部上の任意の個所でカメラ本体２８中へまたはその上へ一体化できる。延在バー２９がカメラ本体２８の一体化要素として製造されることに対する代替で、延在バー２９は、別体部品として製造でき、カメラ本体２８へ接着、テーピング、溶接、締着、クリップ留め、螺着、リベット留め、フックおよびループ材と共に取付け、またはその他方法で取付けできる。図８ｉに示すように、複数の延在バー２９をカメラ本体２８上へまたはその中へ一体化でき、カメラ本体２８の、隅縁部を再度含め、背部、前部、上部、または底部上の任意の個所で一体化できる。
【０１２３】
延在バー２９は、本発明において代替の機能の役割を果たすことができ、例えば、フック１９の相手部品として機能する、従って、カメラ本体２８の上部もしくは上背部領域上にもしくはそれの近くに位置付けられる時に、キャッチ部品１３もしくは延在バー３５に対する置換えとしての役割を果たすか、または代替として、同じ個所もしくはカメラ本体２８の上部、背部、底部、もしくは隅縁部上の他所に配置される時に、本発明の装着具ストラップの取付け点としての役割を果たす。このように、延在バー２９は、同じ実施の形態において多数の機能の役割を果たすことができ、本発明の単一の実施の形態がユーザまたはメーカの好み次第で多様な構成で使用されることを許容する。例えば、装着具１ｋが編み込まれる編み込み取付け点として役割を果たすことによって、図８ｉにおける延在バー２９の両方は、カメラ本体２８をユーザへ平坦な固定位置で装着する様式で機能する。
【０１２４】
代替として、選抜の装着具ストラップとして装着具１ｊで置換え、それをフック材の舌部２６を介して図８ｉでの下側延在バー２９へ取付けることによって、上側延在バー２９は、今や装着具１ｊのフック１９のための係合点として機能でき、フック１９が上側延在バー２９と係合する平坦な固定位置から解放され、枢動されて写真撮影のための直立の第２固定位置へとカメラが枢動されることを許容する。まとめると、カメラが本明細書に開示したような固定したまたは枢動する様式でユーザへ、例えば、ユーザの外肢へ装着することを許容するどんな多様なストラップもカメラ本体またはハウジングが受け入れることを本発明は有益に許容することに注意されたい。
【０１２５】
加えて、装着具１ｋ等のストラップと併せて延在バー２９を可変位置に載置すれば、カメラ本体２８を固定角度つまり半直立位置でユーザへ装着することができる。例えば、図８ｍは、カメラ本体２８の背部および底部の面上に配置した延在バー２９を持つカメラ本体２８を示す。装着具１ｋを背部および底部両方の延在バー２９に通して編み込み、装着具１ｋをユーザの手首または腕周りに鞍帯締めすることによって、カメラ本体２８をユーザへ固定角度つまり半直立位置で装着できる。代替として、装着具１ｋは、カメラ本体２８をユーザへ平坦な固定様式で装着するために、カメラ本体２８（図８ｍ）の背部および底部両方の延在バー２９ならびに上背部隅に配置した延在バー３５も通して編み込めばよい。代替として、装着具１ｊを、フック材の舌部２６を介して底部延在バー２９へ取付けることができ、装着具１ｊのフック１９を延在バー３５と係合させることができ、これによってカメラ本体２８は、平坦な第１固定位置に固定され、次に解放されて、直立の第２固定位置へ枢動されることを許容する様式で、カメラ本体２８（図８ｍ）をユーザへ装着できる。
【０１２６】
本発明の可変な構成の上記および以下の実施例は、単に見込まれる変形例であり、本発明を、決して本発明の可変な構成の上記および以下の実施例に限定してはならない。
【０１２７】
図８ｄに示すように、本発明は、カメラ本体２８の背部上に凹溝兼バー３０を有するカメラ本体２８を含むことができる。代替として、凹溝兼バー３０は、カメラ本体２８の底部および／もしくは上部上に、またはカメラ本体２８の隅縁部中へつまりその内部に配置できる。図８ｈは、凹溝兼バー３０が任意の幅または深さにでき、凹溝兼バー３０のバー部分が、カメラ本体２８の外面の下に凹んでも、それと同じ高さにもできることを示す。更に、図８ｈは、凹溝兼バー３０が、カメラ本体２８の隅縁部を含め、カメラ本体２８の上部、背部、または底部上の何れへも配置できることを示す。図８ｊは、カメラ本体２８へ一体化された複数の凹溝兼バー３０を示す。
【０１２８】
凹溝兼バー３０、延在バー２９、および延在バー３５は、相互の何れの組合せでも、相互のどんな置換えでも使用できる。図８ｋおよび図８ｌは、この例を示す。加えて、凹溝兼バー３０、延在バー２９、および延在バー３５は、同様の機能性を達成するために相互交換可能に使用できる。例えば、図８ｌは、カメラ本体２８の上背部隅上に配置した延在バー２９を示し、それによって延在バー２９は装着具１ｊのフック１９の相手バーとして延在バー３５を置換えることができる。または、延在バー２９は、この例において装着具１ｋが凹溝兼バー３０に通して編み込まれる時にカメラ本体２８を平坦な固定位置でユーザへ装着するために、置換えの装着具１ｋが編み込まれる編み込み取付け点としての役割を果たすことができる。加えて、凹溝兼バー３０が、代替として、フック１９のための相手バーとして使用でき、延在バー３５が、代替として、本発明の代替のストラップの実施の形態のための取付け点として使用できる。
【０１２９】
図８ｅに示すように、本発明は、カメラ本体２８の底部上に一体化された雌クリップ３１を有するカメラ本体２８を含むことができる。代替として、雌クリップ３１は、カメラ本体２８の背部上へ一体化できる。代替として、雌クリップ３１は雄クリップ２７と置換えできる。どんな種類の雄または雌のクリップ、接続具、または連結部も、雌クリップ３１および雄クリップ２７の置換えとして使用でき、図８ｅの図解は単なる参照である。代替として、雄クリップ２７および雌クリップ３１は、時計を腕時計バンドへ取付けるために使用するものと類似の接合部品と置換えすることができる。
【０１３０】
図８ｆに示すように、本発明は、フック部品１９と係合する、カメラ本体２８の上部上に一体化された延在バー３５を有するカメラ本体２８を含むことができる。代替として、延在バー３５は、カメラ本体２８の背部上へ一体化できる。加えて、延在バー３５は、カメラ本体２８の隅縁部上へ一体化できる。更に、延在バー３５および延在バー２９は、部分的にまたは全体的に、限定されないものの、湾曲した、丸みを帯びた、ギザギザのある、半円形の、円形の、半長円の、長円の、半楕円の、楕円の、半方形の、方形の、半長方形の、長方形の、半三角形の、三角形の、または骨張った形状を含む任意形状にできる。また、延在バー３５および延在バー２９は、任意の幅または高さにでき、カメラ本体２８の上部、背部、または角部上へ可変位置で位置付けできる。代替として、延在バー３５は、凹溝兼バー３０および／または延在バー２９と機能で類似して、本発明のストラップ部分のための取付け点として機能できる。再度であるが、延在バー３５、凹溝兼バー３０、および延在バー２９は、本発明において相互に交換可能に使用できる。
【０１３１】
図９ａに示すように、本発明は、カメラハウジング３２の上部上に一体化されたキャッチ部品１３を有するカメラハウジング３２を含むことができる。代替として、キャッチ部品１３は、カメラハウジング３２の背部上へ一体化できる。加えて、キャッチ部品１３は、カメラハウジング３２の隅縁部上へ一体化できる。加えて、キャッチ部品１３は、それをカメラハウジング３２へ取付ける接着材被覆面を持つことができる。加えて、カメラハウジング３２は、キャッチ部品１３がカメラハウジング３２へ取付けられることを許容する接着材領域を持つことができる。加えて、カメラハウジング３２は、カメラハウジング３２のいずれの面上でもカメラハウジング３２へ取付けられたまたはその中へ埋込まれたフックもしくはループ材、またはベルクロ（登録商標）を有することができる。加えて、カメラハウジング３２は、キャッチ部品１３に置換わる、またはキャッチ部品１３に含まれた、カメラハウジング３２のいずれの面上でもカメラハウジング３２へ取付けられたまたはその中へ埋込まれたフックもしくはループ材、またはベルクロ（登録商標）を持つことができる。
【０１３２】
図９ｂに示すように、本発明は、カメラハウジング３２の上部中へすなわちその内部に一体化されたキャッチ部品１３を有するカメラハウジング３２を含むことができる。代替として、キャッチ部品１３は、カメラハウジング３２の背部中へすなわちその内部に一体化できる。代替として、キャッチ部品１３は、カメラハウジング３２の隅縁部中へすなわちその内部に一体化できる。
【０１３３】
図９ｃに示すように、本発明は、カメラハウジング３２の背部上へ一体化された延在バー２９を有するカメラハウジング３２を含むことができる。代替として、延在バー２９は、カメラハウジング３２の底部、上部、または隅縁部上へ一体化できる。図９ｇに示すように、延在バーは、任意の幅、高さ、または厚さにすることができ、カメラハウジング３２の、隅縁部を再度含め、背部、前部、上部、または底部上の任意の個所でカメラハウジング３２中へまたはその上へ一体化できる。
【０１３４】
延在バー２９がカメラハウジング３２の一体化要素として製造されることに対する代替として、延在バー２９を別体部品として製造でき、カメラハウジング３２へ接着、テーピング、溶接、締着、クリップ留め、螺着、リベット留め、フックおよびループ材と共に取付け、またはその他方法で取付けできる。図９ｉに示すように、複数の延在バー２９が、カメラハウジング３２上へまたはその中へ一体化でき、カメラハウジング３２の、隅縁部を再度含め、背部、前部、上部、または底部上の任意の個所で一体化できる。
【０１３５】
延在バー２９は、本発明において代替の機能の役割を果たすことができ、例えば、フック１９の相手部品として機能する、従って、カメラハウジング３２の上部もしくは上背部領域上もしくはその近くに配置される時に、キャッチ部品１３もしくは延在バー３５に対する置換えとしての役割を果たす、または、代替として、同じ個所もしくはカメラハウジング３２の上部、背部、底部、もしくは隅縁部上のどこか他所に配置される時に、本発明のストラップ部のための取付け点としての役割を果たす。このように、延在バー２９は、同じ実施の形態において多数の機能を果たすことができ、本発明の単一の実施の形態がユーザまたはメーカの好み次第で多様な構成で使用されることを許容する。例えば、装着具１ｋが編み込まれる編み込み取付け点として役を果たすことによって、図９ｉにおける延在バー２９の両方は、カメラハウジング３２を平坦な固定位置でユーザへ装着する様式で機能する。
【０１３６】
代替として、選んだ装着具ストラップとして装着具１ｊで置換え、それを図９ｉでの下側延在バー２９へ取付けることによって、上側延在バー２９は、今や装着具１ｊのフック１９のための係合点として機能でき、フック１９が上側延在バー２９と係合した平坦な固定位置から解放され、写真撮影のための直立の第２固定位置へとカメラが枢動されることを許容する。重ねて、本発明が他の観察機器構成、例えばビデオまたは遠距離観察器具（単眼または双眼鏡）にも適用可能であることが注目される。
【０１３７】
更に、装着具１ｋ等のストラップと併せて延在バー２９を可変位置に載置すれば、カメラハウジング３を、固定角度つまり半直立位置でユーザへ装着されることが許容される。例えば、図９ｍは、カメラハウジング３２の背部および底部の面上に配置された延在バー２９を持つカメラハウジング３２を示す。装着具１ｋを背部および底部両方の延在バー２９に通して編み込み、装着具１ｋをユーザの手首または腕周りに鞍帯締めすることによって、カメラハウジング３２は固定角度つまり半直立位置でユーザへ装着できる。
【０１３８】
代替として、装着具１ｋは、カメラハウジング３２をユーザへ平坦な固定様式で装着するために、カメラハウジング３２（図９ｍ）の背部および底部両方の延在バー２９ならびに上背部隅上に配置した延在バー３５も通して編み込まれればよい。代替として，装着具１ｊがフック材の舌部２６を介して底部延在バー２９へ取付けでき、装着具１ｊのフック１９が延在バー３５と係合でき、これによってカメラハウジング３２が第１固定位置で平坦に固定され、次に解放されて、第２固定位置へ直立に枢動されることを許容する様式で、カメラハウジング３２（図９ｍ）をユーザへ装着させることになる。
【０１３９】
図９ｄに示すように、本発明は、カメラハウジング３２の背部上に凹溝兼バー３０を有するカメラハウジング３２を含むことができる。代替として、凹溝兼バー３０は、カメラハウジング３２の底部および／もしくは上部中へ、またはカメラハウジング３２の底隅縁部中へ配置できる。図９ｈは、凹溝兼バー３０を任意の幅または深さにでき、凹溝兼バー３０のバー部分が、カメラハウジング３２の外面の下に凹んでも、それと同じ高さにできることを示す。加えて、図９ｈは、凹溝兼バー３０がカメラハウジング３２の隅縁部を含み、カメラハウジング３２の上部、背部、または底部上の何れにも配置できることを示す。図９ｊは、カメラハウジング３２中へ一体化された複数の凹溝兼バー３０を示す。
【０１４０】
凹溝兼バー３０、延在バー２９、および延在バー３５は、相互との何れの組合せでも、相互の何れの置換えでも使用できる。図９ｋおよび図９ｌは、こうした例を示す。加えて、凹溝兼バー３０、延在バー２９、および延在バー３５は同様の機能を達成するために相互に交換可能に使用できる。例えば、図９ｌは、カメラハウジング３２の上背部隅上に配置された延在バー３５を示し、それによって、延在バー３５は装着具１ｊのフック１９の相手バーとして延在バー２９と置換えできる。または、延在バー３５は、この例において装着具１ｋがまた凹溝兼バー３０に通して編み込まれる時にカメラハウジング３２を平坦な固定位置でユーザへ装着するために代替の装着具１ｋが編み込まれるための編み込み取付け点としての役割を果たすことができる。加えて、凹溝兼バー３０が、代替として、フック１９の相手バーとして使用でき、延在バー３５が、代替として、本発明のストラップ部分のための取付け点として使用できる。
【０１４１】
図９ｅに示すように、本発明は、カメラハウジング３２の底部上に一体化された雌クリップ３１を有するカメラハウジング３２を含むことができる。代替として、雌クリップ３１は、カメラハウジング３２の背部上へ一体化できる。代替として、雌クリップ３１は雄クリップ２７と置換えることができる。何れの種類の雄または雌のクリップ、接続具、または連結部であっても、雌クリップ３１および雄クリップ２７の代替として使用でき、図９ｅの図解は単なる参照である。代替として、雄クリップ２７および雌クリップ３１は、時計を腕時計バンドへ取付けるのに使用するものと類似の接合部品と置換えることができる。
【０１４２】
図９ｆに示すように、本発明は、フック部品１９と係合する、カメラハウジング３２の上部上に一体化された延在バー３５を有するカメラハウジング３２を含むことができる。代替として、延在バー３５は、カメラハウジング３２の背部上へ一体化できる。加えて、延在バー３５は、カメラハウジング３２の隅縁部上へ一体化できる。加えて、延在バー３５および延在バー２９は、部分的にまたは全体的に、限定されないものの、湾曲した、丸みを帯びた、ギザギザのある、半円形の、円形の、半長円の、長円の、半楕円の、楕円の、半方形の、方形の、半長方形の、長方形の、半三角形の、三角形の、または骨張った形状を含む任意の形状にできる。加えて、延在バー３５および延在バー２９は、任意の幅または高さすることができ、カメラハウジング３２の上部、背部、または隅部上へ可変位置に配置できる。代替として、延在バー３５は、凹溝兼バー３０および／または延在バー２９と機能で類似して、本発明のストラップ部分のための取付け点として機能できる。再度、延在バー３５、凹溝兼バー３０、および延在バー２９は、本発明において相互に交換可能に使用できる。
【０１４３】
本発明の上記実施の形態、またはその要素の何れも、依然として本発明の範囲内である本発明の所望の実施の形態を達成するために相互に組合せたり、異なる方法で組込んだりできることが注目されよう。
【０１４４】
本発明をユーザの手首または腕へ装着する上記方法に加えて、機器をユーザの手首または腕へ装着、固定、またはその他の方法で締着する任意の合理的手段は、本発明をユーザの手首または腕へ装着する上記方法の何れも置換えることができることは言うまでもない。カメラを本発明へ装着するための上記方法に加えて、本発明をユーザの手首または腕へ装着するための上記方法に加えて、カメラを装着具つまりストラップへ装着、固定、またはその他の方法で締着する任意の合理的手段は、カメラを本発明へ装着する上記方法の何れも置換えることができることは言うまでもない。
追加の実施の形態に対する更なる考慮
【０１４５】
当該技術に精通した者には、本発明の１つ以上の要素について広範な構造上の構成があることが分るであろう。例えば、幾つかの要素は、角張ったまたは丸い縁部を有してそれに特定の外見を与えることができる。更に、組立工程で相互に接合または取付けられる本発明の特定の要素は、単一の要素つまり部品として製作、モールド成形、機械加工、またはその他方法で製作できる。それに加え、単一の要素つまり部品として製作される本発明の幾つかの要素は、組立工程で相互に接合またはその他方法で取付けられる別体の要素としてつまり複数の部品で製作できる。特定の材料で製作される本発明の幾つかの要素は、異なる材料で製造でき、機器に異なる外観、スタイル、重量、可撓性、剛性、信頼性、寿命、使い易さ、製造コスト等を与える。
【０１４６】
本発明の幾つかの要素は、異なる大きさのカメラと共に動作するように、より大きくまたはより小さく構成されてもよい。更に、本発明の幾つかの要素は、大小様々人により上手く納まるすなわち合うように、または衣服の種々の部位の上により良く納まるように、より大きくまたはより小さく製作できる。本発明の要素は、上着の袖、シャツ、セータ、プルオーバ、ウエットスーツ、手袋、または他の形態の衣料へ縫着またはその他方法で取付けでき、このようにして、本発明の機能は衣料の所与の部位へ一体化できる。
【０１４７】
更なる例として、本発明またはその要素は、本発明を恒久的にカメラ本体またはカメラハウジングへ取付ける様式で、カメラ本体またはカメラハウジングへ作り込みまたはその他方法で恒久的に添付できよう。それに加え、結合プレート１０に代えた基体プレート、クリップ、または他の部品が、本発明をカメラ本体またはカメラハウジングへスナップ止め、ボルト止め、クリップ留め、またはその他方法で装着できよう。従って、そのカメラ本体またはカメラハウジングを本発明へ結合バンド１０ａおよび１０ｂを使用して、または使用せずに装着する。更に、結合プレート１０に代えたまたはそれと併せた基体プレートもしくは他の部品、または結合プレート１０自体が、それ自体をカメラ本体またはカメラハウジングへ固定するための接着材または接着テープを被覆した１面以上の面を有することができ、従って、カメラ本体またはカメラハウジングを本発明へ装着する。加えて、結合プレート１０は、それへ接着、積層、またはその他方法で取付けられたフックもしくはループ材、ベルクロ（登録商標）、または類似材料を有することができる。
【０１４８】
まだ追加の例として、本発明の幾つかの要素は、衣服、ユニフォーム、カメラの色構想、企業マークなどに調和する特有の外観を本発明に与える任意の色に作成できる。本発明の幾つかの要素は、異なる外見の、テーマの、または異なる消費者市場に対応するために再設計できる。
【０１４９】
別の例では、本発明の幾つかの要素は、実施の形態で説明したのと異なる様式で本発明の他の要素と取付けまたは接合するように再設計できる一方、実施の形態で説明した取付けの様式と同様の機能を提供する。結合プレート１０および方形環１４は、単一ヒンジ部品つまり要素として製作できる。結合プレート１０自体が、ループ材１７へ締着または取付けられているヒンジ部品つまり要素であり得る。結合プレート１０は本発明から省くことができ、結合バンド１０ａおよび１０ｂが方形環１４へ取付けられる、または結合バンド１０ａおよび１０ｂは方形環１４との１つの部品としてモールド成形もしくは製作される。結合プレート１０は本発明から省くことができ、結合バンド１０ａおよび１０ｂがループ材１７へ取付けられる。
【０１５０】
別の例は、フック部品１９およびキャッチ部品１３とは異なる留め機構を使用することを含み、限定されないものの、フック端部１９ｂがボールのような形状にされ、キャッチ部品１３およびキャッチ受台１３ｄが前述のボール形状のためのコップ状受器のような形状にされる例を含む。更に、カメラを取巻く二連のバンドのような形状にされる代わりに、結合バンド１０ａおよび１０ｂ、または結合バンド１０ａ単独が、従って結合バンド１０ｂをなくして、カメラを取巻く１本の単一の幅広のまたは幅狭のバンド材料のような形状にできる。また、カメラを取巻く二連のバンドのような形状にされる代わりに、結合バンド１０ａおよび１０ｂ、または結合バンド１０ａ単独が、従って結合バンド１０ｂを省いて、突出するカメラのレンズのための、バンド材料の部分から除かれた穴つまりスペースを持つ、カメラを取巻く１本の単一の幅広のまたは幅狭のバンド材料のような形状にもできる。
【０１５１】
それに加え、結合バンド１０ａおよび１０ｂを使用する代わりに、本発明は、カメラを把持し、収納し、またはその他方法で収容する、ネオプレン、ゴム、ナイロン、フックおよびループ材、または他の材料等の材料のスリーブを含み、それを結合プレート１０へ固定することができる。このスリーブ材料は、それから除かれたホールすなわちスペースを更に持つことができ、カメラのレンズがそこから突出することを許容する。結合バンド１０ａおよび１０ｂならびに結合プレート１０を使用する代わりに、本発明は、カメラを把持し、収納し、またはその他方法で収容する、ネオプレン、ゴム、ナイロン、フックおよびループ材、または他の材料等の材料のスリーブを使用し、それが結合プレート１０無しで本発明へ直接的に取付けられる。このスリーブ材料は、それから除かれたホールすなわちスペースを更に持つことができ、カメラのレンズがそれから突出することを許容する。
【０１５２】
別の例として、フック環１８は、限定されないものの、Ｄ環形、三角形、長円形、方形を含む任意形状であることができ、または、フック環１８は、また、限定されないものの、フックおよびループ材を含む任意の材料の単一バンドつまりストリップと置換えることができる。ループ材１７、フック材２０、快適ストリップ１６、方形環１４、およびプルタブ２１は、単一スリーブ２４と置換えることができ、それによって、単一スリーブ２４は装着具１ｂをユーザの腕または手首へ装着することに使用され、そのために、ユーザは、自分の手を単一スリーブ２４に通して滑らせ、単一スリーブ２４および装着具１ｂを自分の手首または腕の上へ引き込み、そして単一スリーブ２４は、ユーザが自分の手首または腕周りに単一スリーブ２４を堅く締めることを許容する一体化した絞りひもまたは複数の絞りひもを有する。加えて、快適ストリップ１６は任意形状、一定もしくは変化する幅または長さにできる。
【０１５３】
なお別の例では、本発明において快適ストリップ１６の代替として単一スリーブ２４がループ材１７の下面へ取付けられ、それにより、単一スリーブ２４を用いて、本発明をユーザの腕または手首へ装着し、それにより、ユーザは、自分の手を単一スリーブ２４に通して滑らせ、単一スリーブ２４および装着具１ｂを自分の手首または腕の上へ引き込み、次に本発明の一実施の形態で説明したのと同じ様式で、フック材２０を方形環１４に通して鞍帯締めし、本発明を自分の腕または手首へ堅く締める。
【０１５４】
また、ループ材１７、フック材２０、快適ストリップ１６、方形環１４、およびプルタブ２１は、ストラップの何れの端部ででも調節可能な標準的バックパック型のバックルを持つ任意の材料のストラップと置換えることができ、ユーザが本発明を自分の腕または手首周りにバックル留めし、堅く締めることを許容する。ループ材１７、フック材２０、快適ストリップ１６、方形環１４、およびプルタブ２１は、ユーザが自分の腕または手首周りに本発明を調節して締着できるようにする標準的な腕時計型ストラップ兼締結システムと置換えることができる。
【０１５５】
別の例で、手袋へ装着されている状態でカメラを枢動することを許容する様式で、カメラを手袋へ装着するために、手袋（または、コートの袖またはダイバーのウエットスーツの袖等の衣服の他の部位）へ本発明を搭載したり、またはその他方法で本発明をそれと一体化できる。本発明は、カメラ本体に配置された相手ボタン部品と係合する、本発明へ取付けられたボタンを有することができる。また、本発明は、それへ取付けられたボタンを有することができる。また、本発明は、結合機構としての役割を果たす、本発明へ取付けられた磁石またはその一部を有することができる。
【０１５６】
なお別の例では、本発明の一部として使用されるカメラ（またはカメラ用のハウジング）は、本発明に対してまたはその要素へカメラを固定する目的で、カメラ本体へ取付けられた、一体化された、またはその他方法でその一部であるフックおよび／またはループ材を有することができよう。本発明は、装着したカメラをユーザの手首または腕に対して閉じた平坦な位置に、もしくは写真撮影の目的で開放垂直位置で、または代替としてユーザの好み次第で両方の位置で保持する一方向のもしくは双方向のまたは段階的な移動止め機構を組込みできる。本発明の任意の１つ以上の実施の形態の任意の局面または要素は、本発明の所望の組合せた実施の形態を達成するために、本発明の別の実施の形態の任意の１つ以上の局面または要素と組合せることができる。
【０１５７】
先に注目したように、本発明は数多くの便益および利点を含む。例えば、本発明はより少ない数の部品で構成でき、それ故に潜在的故障ポイントがより少ないから信頼性がより高く、製造コストが低い。更に、本発明は軽量材料を使用して構成でき、また広範囲なユーザの末端部分すなわち外肢、例えば腕、手首、脚、もしくは足首へ、または、自転車のハンドル、ハンググライダの制御バー、ウインドサーファのブーム等の非外肢にも装着するように構成してもよい。従って、本発明は広範な潜在ユーザのために有利である。
【０１５８】
本発明は、また、様々な形状、大きさ、および寸法を持つ広範な機器に適応できるので、ユーザが携行することがある広範な機器、例えばカメラ、双眼鏡、単眼鏡、ビデオカメラ、携帯電話、およびその同類との使用に好適である。更に、本発明は、（例えば、装着具へ二端部で固定された）第１固定位置および（例えば、装着具の一端部で枢動可能に固定された）第２固定位置に有益に固定されてよく、それ故に、広範な活動での使用も好適である。
【０１５９】
その上、本発明は、ユーザが装着具へ装着された機器を迅速に手に取ることを提供する一方で、有利に固定され、それによりユーザは、例えば、カメラを第１固定位置から第２固定位置へ移動させて写真を撮り、そしてカメラを第１固定位置に再固定することができる。それに加え、本発明は、ユーザが機器を第１固定位置から第２固定位置へ戻すことができない場合であっても、機器、例えばカメラを装着具へ固定したままであるように有利に構成される。
【０１６０】
その結果、当該技術に精通した者が認識できるように、本発明のカメラ装着具は、サーフィン、カヤック、急流ラフト下り、シュノーケリング、スキー等のペースの速い活動に参加している間であっても、撮影者はカメラを携行し、手に取り、そして確実に保持して容易に使用できる。加えて、本発明のカメラ装着具は、ユーザが写真を撮っている間にユーザが落下するまたはカメラから手を放すことを余儀なくさせるような状況に遭遇する場合でさえ、カメラをユーザの手首または腕へ装着し続けることになる。本発明のカメラ装着具は、広範なカメラの種類、大きさ、およびサイズで容易に使用でき、その上、広範なユーザに適合するように調節できる。その上、本発明のカメラ装着具は、他の機器、例えばビデオカメラ、双眼鏡、単眼鏡、携帯電話、携帯情報端末（ＰＤＡ）、音楽プレーヤ（例えば、Ｍｐ３プレーヤ、ラジオ機器）、ゲーム機器、およびその同類との使用にも適応できる。更にまだ、本発明のカメラ装着具は、写真撮影の行為が、さもなければ阻害されるまたは困難になるような活動に参加している間に、装着具のユーザが写真を撮ることを許容することになる。上記説明は多くの特定事項を包含するとはいえ、これらは本発明の範囲の限定と見做してはならず、本発明の１つの好ましい実施の形態の例示と見做すべきである。その結果、本発明の範囲は、例証された実施の形態によってでなく、付帯する特許請求の範囲およびそれらの法律上の同等物によって決定されるものとする。
【図面の簡単な説明】
【０１６１】
【図１】展開して延ばした状態にある本発明の斜視図である。
【図１ｂ】本発明の第１の代替の実施の形態の斜視図である。
【図１ｃ】ばね負荷結合プレートを有する、本発明の第２の代替の実施の形態の斜視図である。
【図１ｄ】本発明から延びるフック材の舌部を有する、本発明の第３の代替の実施の形態の斜視図である。
【図１ｅ】本発明へ取付けられた雄クリップを有する、本発明の第４の代替の実施の形態の斜視図である。
【図１ｆ】ばね負荷結合プレートを有し、キャッチ、フック、フック環の何れも持たない、本発明の第５の代替の実施の形態の斜視図である。
【図１ｇ】本発明へ取付けられたばね負荷クリップを有する、本発明の第６代替の実施の形態の斜視図である。
【図１ｈ】本発明へ取付けられた静止クリップを有する、本発明の第７の代替の実施の形態の斜視図である。
【図１ｉ】本発明へ取付けられたフック材の舌部を有する、本発明の第８の代替の実施の形態の斜視図である。
【図１ｊ】本発明へ取付けられたフック材の舌部を有する、本発明の第９の代替の実施の形態の斜視図である。
【図１ｋ】一体的な目視ホールを有する、本発明の第１０の代替の実施の形態の斜視図である。
【図１ｌ】締着された取付けパッドを有する、本発明の第１１の代替の実施の形態の斜視図である。
【図１ｍ】本発明の第１２の代替の実施の形態の斜視図である。
【図２】半閉鎖つまり半鞍帯締め位置にある本発明の斜視図である。
【図３】ユーザの左手首に着用されている本発明の斜視図である。
【図３ａ】本発明を着用したまま写真を撮るユーザの斜視図である。
【図３ｂ】ユーザの手首にある本発明の斜視図であり、カメラは直立位置で本発明へ装着され、ユーザがカメラを保持していない状態を示す。
【図４】ユーザの左手首に着用されている装着具の、底からの斜視図である。
【図５】フック部品の斜視図である。
【図６】キャッチ部品の斜視図である。
【図７】結合プレートの斜視図である。
【図８ａ】カメラ上部上に一体化されたキャッチ部品を有するカメラ本体の斜視図である。
【図８ｂ】カメラ本体上部内に一体化されたキャッチ部品を有するカメラ本体の斜視図である。
【図８ｃ】カメラ本体背部上に一体化された延在バーを有するカメラ本体の斜視図である。
【図８ｄ】カメラ本体背部内に一体化された凹溝兼バーを有するカメラ本体の斜視図である。
【図８ｅ】カメラ本体底部上に一体化された雌クリップを有するカメラ本体の斜視図である。
【図８ｆ】カメラ本体に一体化された延在バーを有するカメラ本体の斜視図である。
【図８ｇ】カメラ本体背部上に一体化された延在バーを有するカメラ本体の斜視図である。
【図８ｈ】カメラ本体背部内またはその上に一体化された凹溝兼バーを有するカメラ本体の斜視図である。
【図８ｉ】カメラ本体背部上に２本の延在バーを有するカメラ本体の斜視図である。
【図８ｊ】カメラ本体の背部内またはその上に一体化された２つの凹溝兼バーの斜視図である。
【図８ｋ】カメラ本体の上背部隅上に一体化された延在バーと、カメラ本体の底背部隅上に一体化された第２延在バーとを有するカメラ本体の斜視図である。
【図８ｌ】カメラ本体の上背部隅上に一体化された延在バーと、カメラ本体の背部内またはその上に一体化された凹溝兼バーとを有するカメラ本体の斜視図である。
【図８ｍ】カメラ本体上に一体化された３本の延在バーを有するカメラ本体の斜視図である。
【図８ｎ】カメラ本体上部上に一体化されたフックを有するカメラ本体の斜視図である。
【図９ａ】カメラハウジングに一体化されたキャッチ部品を上部上に有するカメラハウジングの斜視図である。
【図９ｂ】カメラハウジングに一体化されたキャッチ部品を上部内に有するカメラハウジングの斜視図である。
【図９ｃ】カメラハウジングに一体化された延在バーを背部上に有するカメラハウジングの斜視図である。
【図９ｄ】カメラハウジングに一体化された凹溝兼バーを背部内に有するカメラハウジングの斜視図である。
【図９ｅ】カメラハウジングに一体化された雌クリップを底部上に有するカメラハウジングの斜視図である。
【図９ｆ】カメラハウジングに一体化された延在バーを有するカメラハウジングの斜視図である。
【図９ｇ】カメラハウジングに一体化された延在バーを背部上に有するカメラハウジングの斜視図である。
【図９ｈ】カメラハウジングに一体化された凹溝兼バーを背部内またはその上に有するカメラハウジングの斜視図である。
【図９ｉ】カメラハウジングの背部上に２本の延在バーを有するカメラハウジングの斜視図である。
【図９ｊ】カメラハウジングに一体化された２本の凹溝兼バーを背部内またはその上に有するカメラハウジングの斜視図である。
【図９ｋ】カメラハウジングの上背部隅上へ一体化された延在バーと、カメラハウジングの底部上へ一体化された第２延在バーとを有するカメラハウジングの斜視図である。
【図９ｌ】カメラハウジングの上背部隅上へ一体化された延在バーと、カメラハウジングの背部内またはその上へ一体化された凹溝兼バーとを有するカメラハウジングの斜視図である。
【図９ｍ】カメラハウジング上へ一体化された３本の延在バーを有するカメラハウジングの斜視図である。
【図９ｎ】カメラハウジング上部上へ一体化されたフックを有するカメラハウジングの斜視図である。
【図１】
2006522957.tif 000003
【図１ｂ】
2006522957.tif 000004
【図１ｃ】
2006522957.tif 000005
【図１ｄ】
2006522957.tif 000006
【図１ｅ】
2006522957.tif 000007
【図１ｆ】
2006522957.tif 000008
【図１ｇ】
2006522957.tif 000009
【図１ｈ】
2006522957.tif 000010
【図１ｉ】
2006522957.tif 000011
【図１ｊ】
2006522957.tif 000012
【図１ｋ】
2006522957.tif 000013
【図１ｌ】
2006522957.tif 000014
【図１ｍ】
2006522957.tif 000015
【図２】
2006522957.tif 000016
【図３】
2006522957.tif 000017
【図３ａ】
2006522957.tif 000018
【図３ｂ】
2006522957.tif 000019
【図４】
2006522957.tif 000020
【図５】
2006522957.tif 000021
【図６】
2006522957.tif 000022
【図７】
2006522957.tif 000023
【図８ａ】
2006522957.tif 000024
【図８ｂ】
2006522957.tif 000025
【図８ｃ】
2006522957.tif 000026
【図８ｄ】
2006522957.tif 000027
【図８ｅ】
2006522957.tif 000028
【図８ｆ】
2006522957.tif 000029
【図８ｇ】
2006522957.tif 000030
【図８ｈ】
2006522957.tif 000031
【図８ｉ】
2006522957.tif 000032
【図８ｊ】
2006522957.tif 000033
【図８ｋ】
2006522957.tif 000034
【図８ｌ】
2006522957.tif 000035
【図８ｍ】
2006522957.tif 000036
【図８ｎ】
2006522957.tif 000037
【図９ａ】
2006522957.tif 000038
【図９ｂ】
2006522957.tif 000039
【図９ｃ】
2006522957.tif 000040
【図９ｄ】
2006522957.tif 000041
【図９ｅ】
2006522957.tif 000042
【図９ｆ】
2006522957.tif 000043
【図９ｇ】
2006522957.tif 000044
【図９ｈ】
2006522957.tif 000045
【図９ｉ】
2006522957.tif 000046
【図９ｊ】
2006522957.tif 000047
【図９ｋ】
2006522957.tif 000048
【図９ｌ】
2006522957.tif 000049
【図９ｍ】
2006522957.tif 000050
【図９ｎ】
2006522957.tif 000051
【手続補正書】
【提出日】平成18年4月11日(2006.4.11)
【手続補正１】
【補正対象書類名】特許請求の範囲
【補正対象項目名】全文
【補正方法】変更
【補正の内容】
【特許請求の範囲】
【請求項１】
カメラを固定するための装置であって、
前記カメラを受容する構造のハウジングと、
前記ハウジングの第１個所を第１固定位置に枢動可能に固定する構造のストラップと、
前記ストラップと前記ハウジングの一方と結合される解放可能なキャッチ機構であって、前記ストラップと前記ハウジングの第２個所の前記一方を、第２固定位置に解放可能に結合する構造の解放可能なキャッチ機構と
を備え、前記ハウジングは、前記解放可能なキャッチ機構が前記ストラップと前記ハウジングの前記第２個所の前記一方から結合を解く時に前記第１固定位置にあり、前記解放可能なキャッチ機構が前記ストラップおよび前記ハウジングの前記第２個所の前記一方と結合する時に前記第２固定位置にある、カメラを固定するための装置。
【請求項２】
前記ハウジングは、可撓性ハウジングおよび剛性ハウジングから成るグループからの１つを含む、請求項１の装置。
【請求項３】
前記可撓性ハウジングは、皮革、木綿、ライクラ、スパンデックス、ビニール、ナイロン、ネオプレン、キャンバス生地、合成織物、天然織物、プラスチック、およびゴムから成るグループからの１つを含む、請求項２の装置。
【請求項４】
前記剛性ハウジングは、剛性プラスチック、剛性ゴム、金属、ガラス繊維、樹脂、および金属複合材から成るグループからの１つを備える、請求項２の装置。
【請求項５】
前記解放可能なキャッチ機構は第１部分と第２部分とを備え、前記解放可能なキャッチ機構の前記第１部分は前記ハウジングと結合され、前記解放可能なキャッチ機構の前記第２部分は前記ストラップと結合される、請求項１の装置。
【請求項６】
前記キャッチ機構の前記第１部分と前記第２部分は、ボタン組立体、ベルクロ組立体、バックル組立体、クリップ組立体、フックおよびループ組立体、フックおよびキャッチ組立体、ボールおよびキャッチ組立体、磁石組立体、ならびに接着材組立体から成るグループからの１つの相反相手部分を備える、請求項４の装置。
【請求項７】
前記ハウジングおよび前記ストラップは単一体構造を備える、請求項１の装置。
【請求項８】
前記ストラップは物体を固定するように構成される、請求項１の装置。
【請求項９】
前記物体はユーザの外肢を含む、請求項８の装置。
【請求項１０】
前記ストラップはベルクロ構造の第１部分と、ベルクロ構造の第２部分とを備え、ベルクロ構造の前記第１部分は、ベルクロ構造の前記第２部分と解放可能に結合する、請求項１の装置。
【請求項１１】
前記ストラップは閉じたループを備える、請求項１の装置。
【請求項１２】
前記ハウジングは、カメラ制御装置の操作と表示画面の観察のうちの少なくとも一方のためのアクセス領域を含む、請求項１の装置。
【請求項１３】
前記アクセス領域は透視性フレキシブルパネルを備える、請求項１２の装置。
【請求項１４】
前記アクセス領域は窓開口部を備える、請求項１２の装置。
【請求項１５】
前記ハウジングの背部分は表示画面用開口部を含む、請求項１の装置。
【請求項１６】
前記ハウジングは、前記ストラップと前記解放可能なキャッチ機構のうちの少なくとも一方を結合するための嵌合点を備える、請求項１の装置。
【請求項１７】
前記ハウジングは、衣服の部位へ一体化されている、請求項１の装置。
【国際調査報告】
2006522957.tif 000052